(57)【要約】      （修正有）【課題】無線装置に対するリソース割り当てを行う方法を提供する。【解決手段】方法は、共通帯域幅方式および共通電力方式の少なくとも一方を選択し、選択された少なくとも１つの方式（選択方式）が共通帯域幅方式を含む場合は、共通復調参照信号（ＤＭＲＳ）を共有する２つの連続した送信時間間隔（ＴＴＩ）において、２つのデータチャネルの送信用に無線装置が使用する共通帯域幅が決定され、無線装置に対して２つのデータチャネルの帯域幅を共通帯域幅値に設定できるように共通帯域幅の指定が送信される。選択方式が、共通電力方式を含む場合は、共通ＤＭＲＳを共有する２つの連続したＴＴＩにおいて、２つのデータチャネル用に無線装置が設定する出力電力を制御する共通電力制御コマンドが決定され、無線装置に対して２つのデータチャネルの出力電力を共通電力値に設定できるように共通電力制御コマンドが送信される。【選択図】図１０
2020191673.tif 000002
【特許請求の範囲】
【請求項１】
無線装置（１６）の送信のリソース割り当てのためのネットワークノード（１４）における方法であって、
共通帯域幅方式および共通電力方式の少なくとも一方を選択すること（Ｓ１００）と、
前記選択された少なくとも１つの方式が、共通帯域幅方式を含む場合、
共通参照信号（ＲＳ）を共有する２つの連続した送信時間間隔（ＴＴＩ）において、２つのチャネルの送信用に前記無線装置（１６）が使用する共通帯域幅を決定すること（Ｓ１０４）と、
前記共通帯域幅の指定を前記無線装置（１６）に送信して、前記無線装置（１６）が前記２つのチャネルの帯域幅を共通帯域幅値に設定できるようにすること（Ｓ１０６）と、
前記選択された少なくとも１つの方式が、共通電力方式を含む場合、
共通ＲＳを共有する２つの連続したＴＴＩにおいて、２つのチャネル用に前記無線装置（１６）が設定する出力電力を制御する共通電力制御コマンドを決定すること（Ｓ１１０）と、
前記共通電力制御コマンドを前記無線装置（１６）に送信して、前記無線装置（１６）が前記２つのチャネルの出力電力を共通電力値に設定できるようにすること（Ｓ１１２）と、
を含む、方法。
【請求項２】
２つの連続したＴＴＩにおいて送信される前記チャネルが、物理アップリンク共有チャネル（ＰＵＳＣＨ）である、請求項１に記載の方法。
【請求項３】
前記共通帯域幅が、最大帯域幅を有する前記２つのチャネルの一方の帯域幅よりも大きい、請求項１または２に記載の方法。
【請求項４】
前記共通帯域幅が、前記２つの連続した短ＴＴＩの組み合わせ帯域幅を包含する、請求項１または２に記載の方法。
【請求項５】
前記共通帯域幅が、割り当てリソースブロック当たり同じ電力を保証するように選択される、請求項１または２に記載の方法。
【請求項６】
前記共通帯域幅の前記指定が、前記２つの連続したＴＴＩの帯域幅を包含する前記ＲＳの帯域幅を含む、請求項１または２に記載の方法。
【請求項７】
前記共通電力制御コマンドが、前記２つのチャネルの出力電力を複数の電力レベルのうちの最大電力に設定するように前記無線装置（１６）に指示する、請求項１または２に記載の方法。
【請求項８】
前記共通電力制御コマンドが、受信アップリンク信号の信号レベルおよび当該共通電力制御コマンドと受信アップリンク信号の位相変化との間のマッピングの少なくとも一方に基づく、請求項１から６のいずれか一項に記載の方法。
【請求項９】
前記共通電力制御コマンドが、前記無線装置（１６）において利用可能な電力レベルの関数であり、最大、最小、および平均のうちの１つである、関数に基づく、請求項１から６のいずれか一項に記載の方法。
【請求項１０】
前記共通電力制御コマンドが、所定のルール、統計、および履歴データのうちの１つに基づいて、前記ネットワークノード（１４）により自律的に決定される、請求項１から６のいずれか一項に記載の方法。
【請求項１１】
前記共通電力値が、前記２つの連続したＴＴＩから選択される一方の無線装置選択電力である、請求項１に記載の方法。
【請求項１２】
前記共通電力制御コマンドが、最大電力を規定し、前記共通電力値の規定時に前記最大電力を超えないように前記無線装置（１６）に指示する、請求項１に記載の方法。
【請求項１３】
前記ネットワークノード（１４）が、無線装置（１６）に対して、非連続データチャネルをスケジューリングする、請求項１に記載の方法。
【請求項１４】
ＴＴＩが、短ＴＴＩ（ｓＴＴＩ）、スロット、およびミニスロットのいずれかである、請求項１から１３のいずれか一項に記載の方法。
【請求項１５】
前記ＲＳが、復調参照信号（ＤＭＲＳ）およびサウンディング参照信号（ＳＲＳ）のいずれかである、請求項１から１３のいずれか一項に記載の方法。
【請求項１６】
無線装置（１６）の送信のリソース割り当てのためのネットワークノード（１４）であって、
共通帯域幅方式および共通電力方式の少なくとも一方を選択することと、
前記選択された少なくとも１つの方式が、共通帯域幅方式を含む場合、
共通参照信号（ＲＳ）を共有する２つの連続した送信時間間隔（ＴＴＩ）において、２つのチャネルの送信用に前記無線装置（１６）が使用する共通帯域幅を決定することと、
前記共通帯域幅の指定を前記無線装置（１６）に送信して、前記無線装置（１６）が前記２つのチャネルの帯域幅を共通帯域幅値に設定できるようにすることと、
前記選択された少なくとも１つの方式が、共通電力方式を含む場合、
共通ＲＳを共有する２つの連続したＴＴＩにおいて、２つのチャネル用に前記無線装置（１６）が設定する出力電力を制御する共通電力制御コマンドを決定することと、
前記共通電力制御コマンドを前記無線装置（１６）に送信して、前記無線装置（１６）が前記２つのチャネルの出力電力を共通電力値に設定できるようにすることと、
を行うように構成された処理回路（２２）を備えた、ネットワークノード（１４）。
【請求項１７】
２つの連続したＴＴＩにおいて送信される前記２つのチャネルが、物理アップリンク共有チャネル（ＰＵＳＣＨ）である、請求項１６に記載のネットワークノード（１４）。
【請求項１８】
前記共通帯域幅が、最大帯域幅を有する前記２つのチャネルの一方の帯域幅よりも大きい、請求項１６または１７に記載のネットワークノード（１４）。
【請求項１９】
前記共通帯域幅が、前記２つの連続したＴＴＩの組み合わせ帯域幅を包含する、請求項１６または１７に記載のネットワークノード（１４）。
【請求項２０】
前記共通帯域幅が、割り当てリソースブロック当たり同じ電力を保証するように選択される、請求項１６または１７に記載のネットワークノード（１４）。
【請求項２１】
前記共通帯域幅の前記指定が、前記２つの連続したＴＴＩの帯域幅を包含する前記ＲＳの帯域幅を含む、請求項１６または１７に記載のネットワークノード（１４）。
【請求項２２】
前記共通電力制御コマンドが、前記２つのチャネルの出力電力を複数の電力レベルのうちの最大電力に設定するように前記無線装置（１６）に指示する、請求項１６または１７に記載のネットワークノード（１４）。
【請求項２３】
前記共通電力制御コマンドが、受信アップリンク信号の信号レベルおよび当該共通電力制御コマンドと受信アップリンク信号の位相変化との間のマッピングの少なくとも一方に基づく、請求項１６から２２のいずれか一項に記載のネットワークノード（１４）。
【請求項２４】
前記共通電力制御コマンドが、前記無線装置（１６）において利用可能な電力レベルの関数であり、最大、最小、および平均のうちの１つである、関数に基づく、請求項１６から２２のいずれか一項に記載のネットワークノード（１４）。
【請求項２５】
前記共通電力制御コマンドが、所定のルール、統計、および履歴データのうちの１つに基づいて、当該ネットワークノード（１４）により自律的に決定される、請求項１６から２２のいずれか一項に記載のネットワークノード（１４）。
【請求項２６】
前記共通電力値が、前記２つの連続したＴＴＩから選択される一方の無線装置選択電力である、請求項１６に記載のネットワークノード（１４）。
【請求項２７】
前記共通電力制御コマンドが、最大電力を規定し、前記共通電力値の規定時に前記最大電力を超えないように前記無線装置（１６）に指示する、請求項１６に記載のネットワークノード（１４）。
【請求項２８】
当該ネットワークノード（１４）が、無線装置（１６）に対して、非連続チャネルをスケジューリングする、請求項１６に記載のネットワークノード（１４）。
【請求項２９】
ＴＴＩが、短ＴＴＩ（ｓＴＴＩ）、スロット、およびミニスロットのいずれかである、請求項１６から２８のいずれか一項に記載のネットワークノード（１４）。
【請求項３０】
前記ＲＳが、復調参照信号（ＤＭＲＳ）およびサウンディング参照信号（ＳＲＳ）のいずれかである、請求項１６から２８のいずれか一項に記載のネットワークノード（１４）。
【請求項３１】
無線装置（１６）の送信のリソース割り当てのためのネットワークノード（１４）であって、
共通帯域幅方式および共通電力方式の少なくとも一方を選択するように構成された選択モジュール（３５）と、
共通参照信号（ＲＳ）を共有する２つの連続した送信時間間隔（ＴＴＩ）において、２つのチャネルの送信用に前記無線装置（１６）が使用する共通帯域幅を決定するように構成された帯域幅指定モジュール（１９Ａ）と、
前記共通帯域幅の指定を前記無線装置（１６）に送信して、前記無線装置（１６）が前記２つのチャネルの帯域幅を共通帯域幅値に設定できるように構成された送受信機モジュール（２９）と、
共通ＲＳを共有する２つの連続したＴＴＩにおいて、２つのチャネル用に前記無線装置（１６）が設定する出力電力を制御する共通電力制御コマンドを決定するように構成された電力制御モジュール（１９Ｂ）と、
前記共通電力制御コマンドを前記無線装置（１６）に送信して、前記無線装置（１６）が前記２つのチャネルの出力電力を共通電力値に設定できるように構成された前記送受信機モジュール（２９）と、
を備えた、ネットワークノード（１４）。
【請求項３２】
信号のアップリンク送信のための無線装置（１６）における方法であって、
帯域幅指定および共通電力制御コマンドの少なくとも一方を受信すること（Ｓ１１４）と、
帯域幅指定が受信された場合、
共通参照信号（ＲＳ）を共有する２つの連続した送信時間間隔（ＴＴＩ）において、２つのチャネルの送信用に前記無線装置（１６）が使用する共通帯域幅を前記帯域幅指定に基づいて決定すること（Ｓ１１８）と、
共通電力制御コマンドが受信された場合、
共通ＲＳを共有する２つの連続したＴＴＩにおいて、２つのチャネル用に前記無線装置（１６）が設定する出力電力を前記共通電力制御コマンドに基づいて制御すること（Ｓ１２２）と、
を含む、方法。
【請求項３３】
前記２つのチャネルが、物理アップリンク共有チャネル（ＰＵＳＣＨ）である、請求項３２に記載の方法。
【請求項３４】
前記共通帯域幅が、最大帯域幅を有する前記２つのチャネルの一方の帯域幅よりも大きい、請求項３２または３３に記載の方法。
【請求項３５】
前記共通帯域幅が、前記２つの連続したＴＴＩの組み合わせ帯域幅を包含する、請求項３２または３３に記載の方法。
【請求項３６】
前記共通帯域幅が、割り当てリソースブロック当たり同じ電力を保証するように選択される、請求項３２または３３に記載の方法。
【請求項３７】
前記帯域幅指定が、前記２つの連続したＴＴＩの帯域幅を包含する前記ＲＳの帯域幅を示す、請求項３２または３３に記載の方法。
【請求項３８】
前記共通電力制御コマンドが、前記２つのチャネルの出力電力を複数の電力レベルのうちの最大電力に設定するように前記無線装置（１６）に指示する、請求項３２または３３に記載の方法。
【請求項３９】
前記共通電力制御コマンドが、最大電力を規定し、前記共通電力値の規定時に前記最大電力を超えないように前記無線装置（１６）に指示する、請求項３２に記載の方法。
【請求項４０】
ＴＴＩが、短ＴＴＩ（ｓＴＴＩ）、スロット、およびミニスロットのいずれかである、請求項３２から３９のいずれか一項に記載の方法。
【請求項４１】
前記ＲＳが、復調参照信号（ＤＭＲＳ）およびサウンディング参照信号（ＳＲＳ）のいずれかである、請求項３２から３９のいずれか一項に記載の方法。
【請求項４２】
アップリンク送信のリソース割り当てのための無線装置（１６）であって、
帯域幅指定および共通電力制御コマンドの少なくとも一方を受信するように構成された送受信機（４８）と、
共通参照信号（ＲＳ）を共有する２つの連続した送信時間間隔（ＴＴＩ）において、２つのチャネルの送信用に当該無線装置（１６）が使用する共通帯域幅を前記帯域幅指定に基づいて決定することと、
共通ＲＳを共有する２つの連続したＴＴＩにおいて、少なくとも２つのチャネル用に当該無線装置（１６）が設定する出力電力を前記共通電力制御コマンドに基づいて制御することと、
を行うように構成された処理回路（４２）と、
を備えた、無線装置（１６）。
【請求項４３】
前記２つのチャネルが、物理アップリンク共有チャネル（ＰＵＳＣＨ）である、請求項４２に記載の無線装置（１６）。
【請求項４４】
前記共通帯域幅が、最大帯域幅を有する前記２つのチャネルの一方の帯域幅よりも大きい、請求項４２または４３に記載の無線装置（１６）。
【請求項４５】
前記共通帯域幅が、前記２つの連続したＴＴＩの組み合わせ帯域幅を包含する、請求項４２または４３に記載の無線装置（１６）。
【請求項４６】
前記共通帯域幅が、割り当てリソースブロック当たり同じ電力を保証するように選択される、請求項４２または４３に記載の無線装置（１６）。
【請求項４７】
前記帯域幅指定が、前記２つの連続したＴＴＩの帯域幅を包含する前記ＲＳの帯域幅を示す、請求項４２または４３に記載の無線装置（１６）。
【請求項４８】
前記共通電力制御コマンドが、前記２つのチャネルの出力電力を複数の電力レベルのうちの最大電力に設定するように当該無線装置（１６）に指示する、請求項４２または４３に記載の無線装置（１６）。
【請求項４９】
前記共通電力制御コマンドが、最大電力を規定し、前記共通電力値の規定時に前記最大電力を超えないように当該無線装置（１６）に指示する、請求項４２に記載の無線装置（１６）。
【請求項５０】
アップリンク送信のリソース割り当てのための無線装置（１６）であって、
帯域幅指定および共通電力制御コマンドの少なくとも一方を受信するように構成された送受信機モジュール（４９）と、
共通参照信号（ＲＳ）を共有する２つの連続した送信時間間隔（ＴＴＩ）において、２つのチャネルの送信用に当該無線装置（１６）が使用する共通帯域幅を前記帯域幅指定に基づいて決定するように構成された帯域幅制御モジュール（５７）と、
共通ＲＳを共有する２つの連続したＴＴＩにおいて、２つのチャネル用に当該無線装置（１６）が設定する出力電力を前記共通電力制御コマンドに基づいて制御するように構成された電力制御モジュール（５５）と、
を備えた、無線装置（１６）。
【請求項５１】
信号のアップリンク送信用の無線装置（１６）における方法であって、
共通参照信号（ＲＳ）を共有する２つの連続した送信時間間隔（ＴＴＩ）において、前記無線装置（１６）が２つのチャネルを送信するものと決定すること（Ｓ１２４）と、
前記共通ＲＳを共有する前記２つの連続した送信時間間隔（ＴＴＩ）において、前記２つのチャネルを同じ出力電力で送信すること（Ｓ１２６）と、
を含む、方法。
【請求項５２】
ＴＴＩが、短ＴＴＩ（ｓＴＴＩ）、スロット、およびミニスロットのいずれかである、請求項５１に記載の方法。
【請求項５３】
前記ＲＳが、復調参照信号（ＤＭＲＳ）およびサウンディング参照信号（ＳＲＳ）のいずれかである、請求項５１に記載の方法。
【請求項５４】
信号のアップリンク送信用の無線装置（１６）であって、
共通参照信号（ＲＳ）を共有する２つの連続した送信時間間隔（ＴＴＩ）において、当該無線装置（１６）が２つのチャネルを送信するものと決定するように構成された処理回路と、
前記共通ＲＳを共有する前記２つの連続した送信時間間隔（ＴＴＩ）において、前記２つのチャネルを同じ出力電力で送信するように構成された送受信機と、
を備えた、無線装置（１６）。
【請求項５５】
ＴＴＩが、短ＴＴＩ（ｓＴＴＩ）、スロット、およびミニスロットのいずれかである、請求項５４に記載の無線装置（１６）。
【請求項５６】
前記ＲＳが、復調参照信号（ＤＭＲＳ）およびサウンディング参照信号（ＳＲＳ）のいずれかである、請求項５４に記載の無線装置（１６）。
【発明の詳細な説明】
【技術分野】
【０００１】
本開示は、無線通信、特に、短縮送信時間間隔（ＴＴＩ）パターンに対する適正な無線周波数（ＲＦ）動作を保証する設定制限に関する。
【背景技術】
【０００２】
パケットデータレイテンシは、供給業者、事業者、およびエンドユーザが（速度テストアプリケーションによって）定期的に測定する性能測定基準のうちの１つである。レイテンシ測定は、新たなソフトウェアリリースまたはシステムコンポーネントを確認する場合、システムを展開する場合、およびシステムが商業運用される場合等、無線アクセスネットワークシステムの耐用期間のすべての段階で行われる。
【０００３】
第３世代パートナーシッププロジェクト（３ＧＰＰ）無線アクセス技術（ＲＡＴ）の過去世代よりも短いレイテンシは、ロングタームエボリューション（ＬＴＥ）の設計を導く１つの性能測定基準であった。ＬＴＥも現在、エンドユーザによって、移動無線技術の過去世代よりも高速のインターネットアクセスおよび低データレイテンシをもたらすシステムと認識されている。
【０００４】
パケットデータレイテンシは、システムの認識される応答性に関して重要であるのみならず、システムのスループットに対して間接的に影響を及ぼすパラメータでもある。ハイパーテキスト転送プロトコル／伝送制御プロトコル（ＨＴＴＰ／ＴＣＰ）は、今日のインターネットに用いられる一連の優勢なアプリケーションおよびトランスポートレイヤプロトコルである。ＨＴＴＰアーカイブ（ｈｔｔｐ：／／ｈｔｔｐａｒｃｈｉｖｅ．ｏｒｇ／ｔｒｅｎｄｓ．ｐｈｐ）によれば、インターネット上のＨＴＴＰベースのトランザクションの通常サイズは、数十キロバイトから１メガバイトの範囲である。このサイズ範囲において、ＴＣＰスロースタート期間は、パケットストリームの総トランスポート期間のうちの重要な部分である。ＴＣＰスロースタートにおいては、性能がレイテンシにより制限される。したがって、この種のＴＣＰベースのデータトランザクションの場合、平均スループットの改善には、レイテンシを向上させる方が容易と考えられる。
【０００５】
無線リソース効率は、レイテンシ低減の好影響を受ける可能性もある。パケットデータレイテンシの低下により、特定の遅延限界内で可能な送信の数が増えるため、より高いブロック誤り率（ＢＬＥＲ）目標をデータ送信に使用することも可能となり、無線リソースが解放されるとともにシステムの容量が向上する可能性もある。
【０００６】
ロングタームエボリューション（ＬＴＥ）では、ダウンリンクにおいて直交周波数分割多重（ＯＦＤＭ）を使用し、アップリンクにおいて離散フーリエ変換（ＤＦＴ）拡散ＯＦＤＭを使用する。図１に示すように、時間領域において、ＬＴＥダウンリンク送信は、１０ｍｓの無線フレームで構成されており、各無線フレームは、長さＴｓｕｂｆｒａｍｅ＝１ｍｓの１０個の等サイズサブフレームから成る。
【０００７】
さらに、ＬＴＥにおけるリソース割り当ては通常、リソースブロック（ＲＢ）を単位として表され、１つのリソースブロックは、時間領域の１つのスロット（０．５ｍｓ）および周波数領域の１２個の隣接サブキャリアに対応する。時間方向の一対の２つの隣接するリソースブロック（１．０ｍｓ）がリソースブロック対として知られている。これは、ＴＴＩ（送信時間間隔）としても表される。
【０００８】
ダウンリンク送信は、動的にスケジューリングされる。すなわち、各サブフレームにおいて、基地局は、データが送信される端末およびデータが送信されるリソースブロックを示す制御情報を現在のダウンリンクサブフレームにおいて送信する。この制御シグナリングは通常、各サブフレームの最初の１つ、２つ、３つ、または４つのＯＦＤＭシンボルにおいて送信されるが、この数ｎ＝１、２、３、または４は、制御領域の最初のシンボルにおいて送信される物理ＣＦＩ（制御フォーマットインジケータ）チャネル（ＰＣＦＩＣＨ）が示すＣＦＩとして知られている。また、制御領域には、物理ダウンリンク制御チャネル（ＰＤＣＣＨ）を含むとともに、場合によっては、アップリンク送信の肯定／否定（ＡＣＫ／ＮＡＣＫ）を搬送する物理ハイブリッド自動再送要求（ＨＡＲＱ）指定チャネル（ＰＨＩＣＨ）も含む。
【０００９】
また、ダウンリンクサブフレームには、受信機が把握するとともに、たとえば制御情報のコヒーレント復調に用いられる共通参照シンボル（ＣＲＳ）を含む。制御としてのＣＦＩ＝３個のＯＦＤＭシンボルを伴うダウンリンクシステムを図２に示す。リリース８のＴＴＩにおいては、このようなＤＬ送信の部分が１ＴＴＩと呼ばれる。
【００１０】
パケットレイテンシの低減に関して対処すべきこととして、送信時間間隔（ＴＴＩ）の長さへの対処によるデータおよび制御シグナリングのトランスポート時間の短縮がある。ＬＴＥリリース８において、ＴＴＩは、長さ１ミリ秒の１つのサブフレーム（ＳＦ）に対応する。このような１ｍｓの１つのＴＴＩは、通常のサイクリックプレフィックスの場合は１４個のＯＦＤＭまたはシングルキャリア周波数分割多重アクセス（ＳＣ−ＦＤＭＡ）シンボル、拡張されたサイクリックプレフィックスの場合は１２個のＯＦＤＭまたはＳＣ−ＦＤＭＡシンボルを用いて構成される。現在、ＬＴＥにおいては、ＬＴＥリリース８のＴＴＩよりもはるかに短いＴＴＩを有する送信が規定されている。
【００１１】
ＴＴＩに関する言及は、物理レイヤすなわちエアインターフェース上の送信の場合の送信時間間隔に関するものと留意されたい。これは、ＴＴＩの仕様における規定と十分に整合しない。さらに、エアインターフェース上の短い送信時間に関して使用する専門用語は３ＧＰＰにおいて議論されており、専門用語「短縮ＴＴＩ」の使用は変更される可能性がある点にも留意し得る。議論されている専門用語の一例としては、パーシャルサブフレーム（ＰＳＦ）がある。
【００１２】
短ＴＴＩは、任意の持続時間を有し、１ｍｓのサブフレーム（ＳＦ）内の多くのＯＦＤＭまたはＳＣ−ＦＤＭＡシンボル上にリソースを有するものと決定可能である。一例として、短ＴＴＩ（ｓＴＴＩ）の持続時間は、０．５ｍｓであってもよい。すなわち、通常のサイクリックプレフィックスの場合、７つのＯＦＤＭまたはＳＣ−ＦＤＭＡシンボルである。別の例として、短ＴＴＩの持続時間は、２シンボルであってもよい。別の例において、短ＴＴＩの持続時間は、４シンボルであってもよい。ＴＴＩは、同じセルのＵＬおよびＤＬで同一にすることができる。また、ＴＴＩは、同じセルのＵＬおよびＤＬで異ならせることも可能であり、たとえば、ＤＬで０．５ｍｓ、ＵＬで１ｍｓである。また、ＴＴＩは、異なるサービングセルにおいて異ならせることも可能であり、たとえば、プライマリセル（ＰＣｅｌｌ）では２シンボルのＴＴＩ、セカンダリセル（ＳＣｅｌｌ）では１ｍｓのＴＴＩである。
【００１３】
短縮ＴＴＩは、ＤＬおよびＵＬ等の異なる方向において、異なる値で使用可能である。たとえば、ＤＬが２ＯＦＤＭシンボル（ＯＳ）のｓＴＴＩを使用する一方、ＵＬは、同じセルにおいて４ＯＳのｓＴＴＩを使用可能である。
【００１４】
ＦＳ１、ＦＳ２、およびＦＳ３等の異なるフレーム構造に関して、使用されるｓＴＴＩも異ならせることができる。図１の時間領域構造は、ＦＳ１に関する。２ＯＳ、４ＯＳ、および７ＯＳという３つのＴＴＩすべてがＦＳ１に使用可能である。ＴＤＤに用いられるＦＳ２の場合は、７ＯＳのｓＴＴＩが短縮ＴＴＩモードの１つである。
【００１５】
１ｍｓのＴＴＩ（ＰＵＳＣＨ）および短ＴＴＩ（ｓＰＵＳＣＨ）を伴うＵＬデータチャネルの電力制御
物理アップリンク共有チャネルＰＵＳＣＨの電力制御は、サブフレームｉおよびサービングセルｃに関し、３ＧＰＰ  ＴＳ３６．２１３において規定されている。
2020191673.tif 000003
ここで、
2020191673.tif 000004
は、最大送信電力（線形スケール）である。
2020191673.tif 000005
は、同時送信ＰＵＣＣＨの電力（線形スケール）であり、ＰＵＣＣＨが送信されない場合はゼロに等しい。
ＭＰＵＳＣＨ，ｃ（ｉ）は、リソースブロック数である。
ＰＯ＿ＰＵＳＣＨ，ｃ（ｊ）は、ＲＲＣ上で伝えられる受信電力の目標である。
αｃ（ｊ）・ＰＬｃは、スケーリングされたダウンリンク経路損失推定値であり、０≦αｃ（ｊ）≦１において、ＲＲＣ上で無線装置に伝えられる。
ΔＴＦ，ｃ（ｉ）は、コード化ビットに応じた調整係数であり、３ＧＰＰ  ＴＳ３６．２１３において正確に指定されている。
ｆｃ（ｉ）は、ＵＬグラントにおいて無線装置に伝えられるδＰＵＳＣＨに由来する閉ループ電力制御である。
今日、ＬＴＥにおいては、累積ベースまたは非累積ベースでｆｃを計算する２つの方法が存在する。累積ベースの計算がアクティブ化されない場合、ｆｃ（ｉ）は、ＵＬグラントにおいて指定されるδＰＵＳＣＨの値に直接従う。累積ベースの計算がアクティブ化される場合、ｆｃ（ｉ）は、ＵＬグラントにおけるδＰＵＳＣＨおよびその過去の値ｆｃ（ｉ−１）に従い、ｆｃ（ｉ）＝ｆｃ（ｉ−１）＋δＰＵＳＣＨ，ｃ（ｉ−ＫＰＵＳＣＨ）に従って更新される。ＫＰＵＳＣＨは、ＵＬグラントとＵＬデータ送信（Ｔｘ）との間の遅延を表す。
【００１６】
上式に見られるように、ＰＵＳＣＨの総電力は、リソースブロックの割り当てが異なるため、ＴＴＩごとに変動し得る。上式のパラメータが異なるＴＴＩにおいて同じであり、無線装置の最大出力電力を超えない限り、リソース割り当てが異なるＴＴＩで異なっていても、割り当てリソースブロック当たりの電力は、異なるＴＴＩにおいて同一である。所与のＴＴＩにおけるリソース割り当てに最大出力電力の許容を超える電力が必要な場合、割り当てリソースブロック当たりの電力は、最大出力電力を超えないようにスケーリングされる。短ＴＴＩ  ＰＵＳＣＨ（ｓＰＵＳＣＨ）の電力制御については、未だに規定されていない。
【００１７】
送信時間の低減に伴う問題として、具体的にはＵＬにおいて、より多くのオーバヘッドが必要になる。送信される各パケットは、送信されるデータシンボルのチャネル推定および復調を基地局（たとえば、ｅＮＢ）が実行するように、参照シンボルとの関連付けを要する。たとえば、ブロックが２つのシンボルから成る場合は、（参照シンボルおよび送信時のデータシンボルの両者が周波数領域における完全な割り当てを担うものと仮定する場合）少なくとも一方のシンボルを参照シンボルに使用する必要がある。これは、（サイクリックプレフィックス、ガード期間、プロトコルオーバヘッド等によるその他任意のオーバヘッドを無視して）ペイロード送信において少なくとも５０％のオーバヘッドが存在することになることを暗示している。これは、実際のシステムのスループット性能の観点から禁止される可能性もある。
【発明の概要】
【００１８】
いくつかの実施形態は、無線装置に対するスケジューリングおよびリソース割り当てを行うように構成された方法、ネットワークノード、および無線装置を提供するため都合が良い。一態様によれば、無線装置の送信のリソース割り当てのためのネットワークノードにおける方法が提供される。この方法は、共通帯域幅方式および共通電力方式の少なくとも一方を選択することを含む。選択された少なくとも１つの方式が、共通帯域幅方式を含む場合、この方法は、共通参照信号（ＲＳ）を共有する２つの連続した送信時間間隔（ＴＴＩ）において、２つのチャネルの送信用に無線装置が使用する共通帯域幅を決定することと、共通帯域幅の指定を無線装置に送信して、無線装置が２つのチャネルの帯域幅を共通帯域幅値に設定できるようにすることと、を含む。選択された少なくとも１つの方式が、共通電力方式を含む場合、この方法は、共通ＲＳを共有する２つの連続したＴＴＩにおいて、２つのチャネル用に無線装置が設定する出力電力を制御する共通電力制御コマンドを決定することと、共通電力制御コマンドを無線装置に送信して、無線装置が２つのチャネルの出力電力を共通電力値に設定できるようにすることと、を含む。
【００１９】
上記態様によれば、いくつかの実施形態において、２つの連続したＴＴＩにおいて送信されるデータチャネルは、物理アップリンク共有チャネル（ＰＵＳＣＨ）である。いくつかの実施形態において、共通帯域幅は、最大帯域幅を有する２つのチャネルの一方の帯域幅よりも大きい。いくつかの実施形態において、共通帯域幅は、２つの連続したＴＴＩの組み合わせ帯域幅を包含する。いくつかの実施形態において、共通帯域幅は、割り当てリソースブロック当たり同じ電力を保証するように選択される。いくつかの実施形態において、共通帯域幅の指定は、２つの連続したＴＴＩの帯域幅を包含するＲＳの帯域幅を含む。いくつかの実施形態において、共通電力制御コマンドは、無線装置に対して、２つのチャネルの出力電力を複数の電力レベルのうちの最大電力に設定するように指示する。いくつかの実施形態において、共通電力制御コマンドは、受信アップリンク信号の信号レベルおよび当該共通電力制御コマンドと受信アップリンク信号の位相変化との間のマッピングの少なくとも一方に基づく。いくつかの実施形態において、共通電力制御コマンドは、無線装置において利用可能な電力レベルの関数であり、最大、最小、および平均のうちの１つである、関数に基づく。いくつかの実施形態において、共通電力制御コマンドは、所定のルール、統計、および履歴データのうちの１つに基づいて、ネットワークノードにより自律的に決定される。いくつかの実施形態において、共通電力値は、２つの連続したＴＴＩから選択される一方の無線装置選択電力である。いくつかの実施形態において、共通電力制御コマンドは、最大電力を規定し、無線装置に対して、共通電力値の規定時に最大電力を超えないように指示する。いくつかの実施形態において、ネットワークノードは、無線装置に対して、非連続データチャネルをスケジューリングする。
【００２０】
別の態様によれば、無線装置の送信のリソース割り当てのためのネットワークノードが提供される。このネットワークノードは、共通帯域幅方式および共通電力方式の少なくとも一方を選択するように構成された処理回路を備える。選択された少なくとも１つの方式が、共通帯域幅方式を含む場合、処理回路は、共通ＲＳを共有する２つの連続したＴＴＩにおいて、２つのチャネルの送信用に無線装置が使用する共通帯域幅を決定することと、共通帯域幅の指定を無線装置に送信して、無線装置が２つのチャネルの帯域幅を共通帯域幅値に設定できるようにすることと、を行うように構成されている。選択された少なくとも１つの方式が、共通電力方式を含む場合、処理回路は、共通ＲＳを共有する２つの連続したＴＴＩにおいて、２つのチャネル用に無線装置が設定する出力電力を制御する共通電力制御コマンドを決定することと、共通電力制御コマンドを無線装置に送信して、無線装置が２つのチャネルの出力電力を共通電力値に設定できるようにすることと、を行うように構成されている。
【００２１】
上記態様によれば、いくつかの実施形態において、２つの連続したＴＴＩにおいて送信される２つのチャネルは、物理アップリンク共有チャネル（ＰＵＳＣＨ）である。いくつかの実施形態において、共通帯域幅は、最大帯域幅を有する２つのチャネルの一方の帯域幅よりも大きい。いくつかの実施形態において、共通帯域幅は、２つの連続したＴＴＩの組み合わせ帯域幅を包含する。いくつかの実施形態において、共通帯域幅は、割り当てリソースブロック当たり同じ電力を保証するように選択される。いくつかの実施形態において、共通帯域幅の指定は、２つの連続したＴＴＩの帯域幅を包含するＲＳの帯域幅を含む。いくつかの実施形態において、共通電力制御コマンドは、無線装置に対して、２つのチャネルの出力電力を複数の電力レベルのうちの最大電力に設定するように指示する。いくつかの実施形態において、共通電力制御コマンドは、受信アップリンク信号の信号レベルおよび当該共通電力制御コマンドと受信アップリンク信号の位相変化との間のマッピングの少なくとも一方に基づく。いくつかの実施形態において、共通電力制御コマンドは、無線装置において利用可能な電力レベルの関数であり、最大、最小、および平均のうちの１つである、関数に基づく。いくつかの実施形態において、共通電力制御コマンドは、所定のルール、統計、および履歴データのうちの１つに基づいて、ネットワークノードにより自律的に決定される。いくつかの実施形態において、共通電力値は、２つの連続したＴＴＩから選択される一方の無線装置選択電力である。いくつかの実施形態において、共通電力制御コマンドは、最大電力を規定し、無線装置に対して、共通電力値の規定時に最大電力を超えないように指示する。いくつかの実施形態において、ネットワークノードは、無線装置に対して、非連続データチャネルをスケジューリングする。
【００２２】
さらに別の態様によれば、無線装置の送信のリソース割り当てのためのネットワークノードが提供される。このネットワークノードは、共通帯域幅方式および共通電力方式の少なくとも一方を選択するように構成された選択モジュールを備える。このネットワークノードは、共通ＲＳを共有する２つの連続したＴＴＩにおいて、２つのチャネルの送信用に無線装置が使用する共通帯域幅を決定するように構成された帯域幅指定モジュールを備える。このネットワークノードは、共通帯域幅の指定を無線装置に送信して、無線装置が２つのチャネルの帯域幅を共通帯域幅値に設定できるように構成された送受信機モジュールをさらに備える。このネットワークノードは、共通ＲＳを共有する２つの連続したＴＴＩにおいて、２つのチャネル用に無線装置が設定する出力電力を制御する共通電力制御コマンドを決定するように構成された電力制御モジュールを備える。送受信機モジュールは、共通電力制御コマンドを無線装置に送信して、無線装置が２つのチャネルの出力電力を共通電力値に設定できるようにさらに構成されている。
【００２３】
さらに別の態様によれば、アップリンク送信のリソース割り当てための無線装置における方法が提供される。この方法は、帯域幅指定および共通電力制御コマンドの少なくとも一方を受信することを含む。帯域幅指定が受信された場合、この方法は、共通ＲＳを共有する２つの連続したＴＴＩにおいて、２つのチャネルの送信用に無線装置が使用する共通帯域幅を帯域幅指定に基づいて決定することを含む。共通電力制御コマンドが受信された場合、この方法は、共通ＤＭＲＳを共有する２つの連続したｓＴＴＩにおいて、２つのチャネル用に無線装置が設定する出力電力を共通電力制御コマンドに基づいて制御することを含む。
【００２４】
上記態様によれば、いくつかの実施形態において、２つのチャネルは、ＰＵＳＣＨである。いくつかの実施形態において、共通帯域幅は、最大帯域幅を有する２つのチャネルの一方の帯域幅よりも大きい。いくつかの実施形態において、共通帯域幅は、２つの連続したＴＴＩの組み合わせ帯域幅を包含する。いくつかの実施形態において、共通帯域幅は、割り当てリソースブロック当たり同じ電力を保証するように選択される。いくつかの実施形態において、帯域幅指定は、２つの連続したＴＴＩの帯域幅を包含するＲＳの帯域幅を示す。いくつかの実施形態において、共通電力制御コマンドは、無線装置に対して、２つのチャネルの出力電力を複数の電力レベルのうちの最大電力に設定するように指示する。いくつかの実施形態において、共通電力制御コマンドは、最大電力を規定し、無線装置に対して、共通電力値の規定時に最大電力を超えないように指示する。
【００２５】
別の態様によれば、アップリンク送信のリソース割り当てための無線装置が提供される。この無線装置は、帯域幅指定および共通電力制御コマンドの少なくとも一方を受信するように構成された送受信機を備える。この無線装置は、共通ＲＳを共有する２つの連続したＴＴＩにおいて、２つのチャネルの送信用に当該無線装置が使用する共通帯域幅を帯域幅指定に基づいて決定するように構成された処理回路をさらに備える。処理回路は、共通ＲＳを共有する２つの連続したＴＴＩにおいて、少なくとも２つのチャネル用に無線装置が設定する出力電力を共通電力制御コマンドに基づいて制御するようにさらに構成されている。
【００２６】
上記態様によれば、いくつかの実施形態において、２つのチャネルは、ＰＵＳＣＨである。いくつかの実施形態において、共通帯域幅は、最大帯域幅を有する２つのチャネルの一方の帯域幅よりも大きい。いくつかの実施形態において、共通帯域幅は、２つの連続したＴＴＩの組み合わせ帯域幅を包含する。いくつかの実施形態において、共通帯域幅は、割り当てリソースブロック当たり同じ電力を保証するように選択される。いくつかの実施形態において、帯域幅指定は、２つの連続したＴＴＩの帯域幅を包含するＲＳの帯域幅を示す。いくつかの実施形態において、共通電力制御コマンドは、無線装置に対して、２つのチャネルの出力電力を複数の電力レベルのうちの最大電力に設定するように指示する。いくつかの実施形態において、共通電力制御コマンドは、最大電力を規定し、無線装置に対して、共通電力値の規定時に最大電力を超えないように指示する。
【００２７】
さらに別の態様によれば、アップリンク送信のリソース割り当てための無線装置が提供される。この無線装置は、帯域幅指定および共通電力制御コマンドの少なくとも一方を受信するように構成された送受信機モジュールを備える。また、この無線装置は、共通ＲＳを共有する２つの連続したＴＴＩにおいて、２つのチャネルの送信用に当該無線装置が使用する共通帯域幅を帯域幅指定に基づいて決定するように構成された帯域幅制御モジュールを備える。また、この無線装置は、共通ＲＳを共有する２つの連続したＴＴＩにおいて、２つのチャネル用に当該無線装置が設定する出力電力を共通電力制御コマンドに基づいて制御するように構成された電力制御モジュールを備える。
【００２８】
別の態様によれば、信号のアップリンク送信のための無線装置における方法が提供される。この方法は、共通参照信号（ＲＳ）を共有する２つの連続した送信時間間隔（ＴＴＩ）において、無線装置１６が２つのチャネルを送信するものと決定することを含む。また、この方法は、共通ＲＳを共有する２つの連続した送信時間間隔（ＴＴＩ）において、２つのチャネルを同じ出力電力で送信することを含む。
【００２９】
上記態様によれば、いくつかの実施形態において、ＴＴＩは、短ＴＴＩ（ｓＴＴＩ）、スロット、およびミニスロットのいずれかである。いくつかの実施形態において、ＲＳは、復調参照信号（ＤＭＲＳ）およびサウンディング参照信号（ＳＲＳ）のいずれかである。
【００３０】
さらに別の態様によれば、信号のアップリンク送信のための無線装置が提供される。この無線装置は、共通参照信号（ＲＳ）を共有する２つの連続した送信時間間隔（ＴＴＩ）において、当該無線装置が２つのチャネルを送信するものと決定するように構成された処理回路と、共通ＲＳを共有する２つの連続した送信時間間隔（ＴＴＩ）において、２つのチャネルを同じ出力電力で送信するように構成された送受信機と、を備える。
【００３１】
上記態様によれば、いくつかの実施形態において、ＴＴＩは、短ＴＴＩ（ｓＴＴＩ）、スロット、およびミニスロットのいずれかである。いくつかの実施形態において、ＲＳは、復調参照信号（ＤＭＲＳ）およびサウンディング参照信号（ＳＲＳ）のいずれかである。
【００３２】
添付の図面と併せて考慮される以下の詳細な説明を参照することにより、本実施形態ならびに付随する利点および特徴がより完全かつ容易に理解されることになる。
【図面の簡単な説明】
【００３３】
【図１】無線フレームのタイミング構造を示した図である。
【図２】リソースグリッドを示した図である。
【図３】冗長ＤＭＲＳを示したタイミング図である。
【図４】非隣接ＤＭＲＳを示した図である。
【図５】本明細書に記載の原理に従って構成された無線通信システムのブロック図である。
【図６】無線装置に対するスケジューリングおよびリソース割り当てを行うネットワークノードのブロック図である。
【図７】ネットワークノードの別の実施形態のブロック図である。
【図８】アップリンク電力を調整する無線装置のブロック図である。
【図９】無線装置の別の実施形態のブロック図である。
【図１０】無線装置に対するスケジューリングおよびリソース割り当てを行うネットワークノードにおける例示的なプロセスのフローチャートである。
【図１１】無線装置に対するスケジューリングおよびリソース割り当てを行うネットワークノードにおける例示的なプロセスのフローチャートである。
【図１２】アップリンク電力を調整する無線装置における例示的なプロセスのフローチャートである。
【発明を実施するための形態】
【００３４】
例示的な実施形態を詳しく説明する前に、これらの実施形態が主として、短縮送信時間間隔（ＴＴＩ）パターンに対する適正な無線周波数（ＲＦ）動作を保証する設定制限に関する装置構成要素および処理ステップの組み合わせに属することを記しておく。このため、図面中の従来の記号により、必要に応じて構成要素を表しているが、これらは、本明細書の記述の利益を享受する当業者に対して容易に明らかとなる詳細を伴う本開示が不明瞭とならないように、実施形態の理解に関する具体的詳細のみを示している。
【００３５】
本明細書において、「第１（ｆｉｒｓｔ）」、「第２（ｓｅｃｏｎｄ）」、「上（ｔｏｐ）」、および「下（ｂｏｔｔｏｍ）」等の関係語は、あるエンティティまたは要素を別のエンティティまたは要素から識別することにのみ用いられていてもよく、このようなエンティティまたは要素間の物理的または論理的関係または順序を必ずしも要求または暗示するものではない。
【００３６】
本明細書においては、ネットワークノード１４が実行する特定の機能を参照して実施形態を説明するが、これらの機能は、他のネットワークノードおよび要素においても実行可能であることが了解される。また、ネットワークノード１４の機能は、本明細書に記載の１つまたは複数の機能あるいは機能の一部を他のノードが実行できるように、ネットワーククラウド１２全体に分散可能であることが了解される。
【００３７】
本明細書において、第１のノードおよび第２のノードは、アンライセンススペクトル（または、２つ以上のシステムが何らかの種類の共有規則に基づいて動作する共有スペクトル）で送信または受信を行う２つのネットワークノードである。第１のノードの一例は、ネットワークノードであり、無線装置および／または別のネットワークノードと通信する任意の種類の無線ネットワークノードまたは任意のネットワークノードも可能である。ネットワークノードの例は、ＮｏｄｅＢ、基地局（ＢＳ）、ＭＳＲ  ＢＳ等のマルチスタンダード無線（ＭＳＲ）無線ノード、ｅＮｏｄｅＢ、ｇＮｏｄｅＢ、ＭｅＮＢ、ＳｅＮＢ、ネットワークコントローラ、無線ネットワークコントローラ（ＲＮＣ）、基地局コントローラ（ＢＳＣ）、中継器、ドナーノード制御中継器、送受信基地局（ＢＴＳ）、アクセスポイント（ＡＰ）、送信点、送信ノード、リモートラジオユニット（ＲＲＵ）、リモート無線ヘッド（ＲＲＨ）、分散アンテナシステム（ＤＡＳ）のノード、コアネットワークノード（たとえば、ＭＳＣ、ＭＭＥ等）、Ｏ＆Ｍ、ＯＳＳ、ＳＯＮ、位置決めノード（たとえば、Ｅ−ＳＭＬＣ）、ＭＤＴ等である。
【００３８】
ノードの別の例としては、無線装置（ＷＤ）も可能である。無線装置という用語は、セルラーまたは移動体通信システムにおいてネットワークノードおよび／または別の無線装置と通信する任意の種類の無線装置を表す。無線装置の例は、ターゲット装置、装置間（Ｄ２Ｄ）無線装置、マシン型無線装置またはマシン間（Ｍ２Ｍ）通信が可能な無線装置、ＰＤＡ、タブレット、移動端末、スマートフォン、ラップトップ組込型機器（ＬＥＥ）、ラップトップ搭載型機器（ＬＭＥ）、ＵＳＢドングル等である。
【００３９】
いくつかの実施形態においては、一般的な専門用語「無線ネットワークノード」または単に「ネットワークノード（ＮＷノード）」が用いられる。ネットワークノードまたは無線ネットワークノードとしては、基地局、無線基地局、送受信基地局、基地局コントローラ、ネットワークコントローラ、エボルブドノードＢ（ｅＮＢ）、ノードＢ、中継ノード、アクセスポイント、無線アクセスポイント、リモートラジオユニット（ＲＲＵ）、リモート無線ヘッド（ＲＲＨ）等を含み得る任意の種類のネットワークノードが可能である。
【００４０】
本明細書において使用する信号という用語としては、如何なる物理信号または物理チャネルも可能である。物理信号の例は、ＰＳＳ、ＳＳＳ、ＣＲＳ、ＳＲＳ、ＤＭＲＳ、ＰＲＳ等の参照信号である。本明細書において使用する（たとえば、チャネル受信の文脈における）物理チャネルという用語は、チャネル、データチャネル、制御チャネルとも称する。物理チャネルの例は、管理情報ベース（ＭＩＢ）、物理ブロードキャストチャネル（ＰＢＣＨ）、狭帯域ＰＢＣＨ（ＮＰＢＣＨ）、物理ダウンリンク制御チャネル（ＰＤＣＣＨ）、物理ダウンリンク共有チャネル（ＰＤＳＣＨ）、物理アップリンク制御チャネル（ＰＵＣＣＨ）、短ＰＤＳＣＨ（ｓＰＤＳＣＨ）、短ＰＵＣＣＨ（ｓＰＵＣＣＨ）、短物理アップリンク共有チャネル（ｓＰＵＳＣＨ）、マシン型通信ＰＤＣＣＨ（ＭＰＤＣＣＨ）、狭帯域ＰＤＣＣＨ（ＮＰＤＣＣＨ）、狭帯域ＰＤＳＣＨ（ＮＰＤＳＣＨ）、エンハンストＰＤＣＣＨ（Ｅ−ＰＤＣＣＨ）、ＰＵＳＣＨ、ＰＵＣＣＨ、狭帯域ＰＵＳＣＨ（ＮＰＵＳＣＨ）等である。
【００４１】
本明細書において使用するＴＴＩという用語は、送信のための物理チャネル符号化および任意選択としてのインターリーブが可能な任意の期間（Ｔ０）に対応し得る。物理チャネルは、符号化されたのと同じ期間（Ｔ０）にわたって受信機により復号化される。また、ＴＴＩは、意味の区別なく、短ＴＴＩ（ｓＴＴＩ）、送信時間、スロット、サブスロット、ミニスロット、ミニサブフレーム等と称する場合もある。
【００４２】
本明細書において使用するＤＭＲＳという用語は、無線装置１６により送信され、少なくともチャネルの推定または予測のためネットワークノード１４により使用される任意の種類の参照信号（パイロット信号としても知られる）に対応し得る。これにより、ネットワークノード１４は、無線装置１６により送信されたＵＬ信号を受信、復調、および復号化することができる。
【００４３】
なお、無線装置またはネットワークノードにより実行されるものとして本明細書に記載の機能は、複数の無線装置および／またはネットワークノードに分散していてもよい。言い換えると、本明細書に記載のネットワークノードおよび無線装置の機能は、単一の物理的装置による実行に限定されず、実際には、複数の物理的装置間に分散可能と考えられる。
【００４４】
参照シンボルのオーバヘッドが増加する前述の問題を解決する方法としては、図３に示すように、ユーザ間で復調参照シンボル（ＤＭＲＳ）を時間的に冗長化することが挙げられる。
【００４５】
無線装置の電力レベルは、ＰＵＳＣＨの送信時にＴＴＩ間で変化する可能性がある。この場合、（図３と同様のマッピングを使用する場合に）両ｓＴＴＩに共通するＤＭＲＳの電力レベルは、２つのｓＴＴＩの一方の電力レベルでの送信が必要となる。それでも、ＤＭＲＳによるチャネル推定が両ｓＴＴＩのデータシンボルに当てはまる。このため、復調性能が低下することのないように、位相コヒーレンスが保証されるようになっていてもよい。
【００４６】
振幅変動に対して位相を維持する電力増幅器の能力は、そのＡＭ−ＰＭプロファイルによって特徴付けられる。出力電力レベルを大幅に変更する際に大きな変動が予想される場合、位相参照はもはや、異なる電力レベルで送信されるシンボル全体でコヒーレントではないと考えることも可能である。
【００４７】
ｓＴＴＩ間での異なる電力レベルの使用と同様に、帯域幅割り当てもｓＴＴＩごとに変化し得る。無線装置の実装に応じて、帯域幅の切り替えも同様に、たとえば発振器周波数の再調節によって、送信シンボルに対する位相応答に影響を及ぼし得る。この場合は、シンボル間での位相参照の不連続が予想されるため、復調性能が完全に破綻する。
【００４８】
ＴＴＩ間のＤＭＲＳの共有に関連しない別の態様は、同じ無線装置およびｓＴＴＩに対するＤＭＲＳおよびデータシンボルの時間的に隣接しない割り当ての使用である。図４は、非隣接ＤＭＲＳを示した図である。この場合、ＤＭＲＳは通常、両者間のギャップが固定または可変のデータシンボルに先立って送信される。無線装置は通常、アイドルスロットにおいて軽くスリープすることにより、同期目的の微細なクロック周波数を維持することになる。データシンボルの送信を開始する際、位相コヒーレンスは、もはや保たれていない可能性がある。この位相の不連続を回避する手段として、関連する無線周波数（ＲＦ）成分をアイドルシンボルにおいてアクティブに維持することが挙げられる。ただし、この動作では、より多くのエネルギーが消費されることになるため、現行のチップセットが設計対象とする動作モードとはならない可能性もある。
【００４９】
前述の問題を解決するため、以下、複数の異なる実施形態について論じる。これらの方法は、無線装置、ネットワークノード、または両者において実装可能である。方法の一部は、ネットワークノードにおいて実装可能である。方法の一部は、予め規定することおよび／または付加的なシグナリングを使用することも可能であり、規格の変更を促す可能性もある。
【００５０】
本明細書において、データチャネルという用語は、短送信時間間隔（ｓＴＴＩ）を占める送信を表す。このため、いくつかの実施形態において、無線装置は、連続するｓＴＴＩ上での送信を行い、図３に示すように、その連続する任意の２つが共通ＤＭＲＳを共有していてもよい。
【００５１】
第１の実施形態において、同じＤＭＲＳを共有するＵＬデータチャネルのスケジューリングおよびリソース割り当ては、ネットワークノードから送信される制御メッセージにおいて要求される通り、同じ割り当て帯域幅の使用に制限される。
【００５２】
第２の実施形態において、同じＤＭＲＳを共有する２つ以上のＵＬデータチャネルのスケジューリングおよびリソース割り当ては、ネットワークノードから送信される制御メッセージにおいて要求される通り、同じ要求電力レベルの使用に制限される。
【００５３】
第３の実施形態において、無線装置は、同じＤＭＲＳを共有する２つ以上のチャネルにおいて同じ出力電力を使用するように強制され、この出力電力レベルは、第１のデータチャネルの電力レベルコマンドまたは同じＤＭＲＳを共有する一組のデータチャネルのうちで最も高い電力レベルコマンドにより決定される。
【００５４】
第４の実施形態において、ネットワークは、同じＤＭＲＳを共有するデータチャネル上で同じ無線装置をスケジューリングしないように制限される。
【００５５】
第５の実施形態において、同じＤＭＲＳ位置を共有するＵＬデータチャネルは、異なる帯域幅を有することができ、同じＤＭＲＳを共有するすべてのＵＬデータチャネルの帯域幅を包含するより大きな帯域幅においてＤＭＲＳが送信される。ＵＬデータチャネルの帯域幅は、割り当てリソースブロック当たり同じ電力が保証されるように、ネットワークノード（たとえば、ｅＮＢ）によって注意深く決定される。
【００５６】
図面に戻って、図中、同じ要素は同じ参照番号により表しているが、図５には、本明細書に記載の原理に従って構成された無線通信システム１０のブロック図を示している。無線通信ネットワーク１０は、インターネットおよび／または公衆交換電話網（ＰＳＴＮ）を含み得るクラウド１２を具備する。クラウド１２は、無線通信ネットワーク１０のバックホールネットワークとしても機能し得る。無線通信ネットワーク１０は、ＬＴＥの実施形態においてはＸ２インターフェースを介して直接通信可能な１つまたは複数のネットワークノード１４Ａおよび１４Ｂを具備しており、ネットワークノード１４と総称する。新無線（ＮＲ）等のほかの通信プロトコルについては、他のインターフェースタイプをネットワークノード１４間の通信に使用可能と考えられる。ネットワークノード１４は、本明細書において無線装置１６と総称する無線装置１６Ａおよび１６Ｂをサーブするようにしてもよい。なお、便宜上、２つの無線装置１６および２つのネットワークノード１４のみを示しているが、無線通信ネットワーク１０は通常、はるかに多くの無線装置（ＷＤ）１６およびネットワークノード１４を具備していてもよい。さらに、いくつかの実施形態において、ＷＤ１６は、サイドリンク接続とも称する場合があるものを用いて直接通信するようにしてもよい。
【００５７】
図５に示すように、ネットワークノード１４は、帯域幅指定ユニット１８Ａおよび電力制御ユニット１８Ｂを具備する。帯域幅指定ユニット１８Ａは、共通復調参照信号（ＤＭＲＳ）を共有する２つの連続した短送信時間間隔（ｓＴＴＩ）において、２つのデータチャネルの送信用に無線装置１６が使用する共通帯域幅を決定するように構成されている。電力制御ユニット１８Ｂは、共通ＤＭＲＳを共有する２つの連続したｓＴＴＩにおいて、２つのデータチャネル用に無線装置１６が設定する出力電力を制御する共通電力制御コマンドを決定するように構成されている。無線装置１６は、帯域幅指定受信機２０Ａおよび電力制御受信機２０Ｂを具備する。帯域幅指定受信機２０Ａは、帯域幅指定をネットワークノード１４から受信するように構成されている。電力制御受信機２０Ｂは、電力制御コマンドをネットワークノード１４から受信するように構成されている。
【００５８】
図６は、無線装置１６に対するスケジューリングおよびリソース割り当てを行うネットワークノード１４のブロック図である。ネットワークノード１４は、処理回路２２を具備する。いくつかの実施形態において、処理回路は、メモリ２４およびプロセッサ２６を具備していてもよく、メモリ２４は、プロセッサ２６により実行された場合に、本明細書に記載の１つまたは複数の機能を実行するようにプロセッサ２６を設定する命令を含む。従来のプロセッサおよびメモリのほか、処理回路２２は、たとえば１つまたは複数のプロセッサ、プロセッサコア、ＦＰＧＡ（フィールドプログラマブルゲートアレイ）、および／またはＡＳＩＣ（特定用途向け集積回路）等、処理および／または制御用の集積回路を含んでいてもよい。
【００５９】
処理回路２２は、たとえばキャッシュ、バッファメモリ、ＲＡＭ（ランダムアクセスメモリ）、ＲＯＭ（リードオンリーメモリ）、光メモリ、および／またはＥＰＲＯＭ（消去・プログラム可能リードオンリーメモリ）等、任意の種類の揮発性および／または不揮発性メモリを含み得るメモリ２４の具備、メモリ２４への接続、および／またはメモリ２４にアクセスする（たとえば、書き込みおよび／または読み出し）構成が可能である。このようなメモリ２４は、制御回路により実行可能なコードおよび／または他のデータ（たとえば、通信に関するデータ（たとえば、ノードの設定および／またはアドレスデータ等））を格納するように構成されていてもよい。処理回路２２は、本明細書に記載の方法のいずれかの制御および／または（たとえば、プロセッサ２６による）このような方法の実行を行うように構成されていてもよい。読み出し可能および／または処理回路２２に対して読み出し可能に接続されたメモリ２４に対応する命令が格納されていてもよい。言い換えると、処理回路２２は、マイクロプロセッサ、マイクロコントローラ、ＦＰＧＡ（フィールドプログラマブルゲートアレイ）装置、および／またはＡＳＩＣ（特定用途向け集積回路）装置を含み得るコントローラを具備していてもよい。処理回路２２は、コントローラおよび／または処理回路２２による読み出しおよび／または書き込み用にアクセスし得るように構成可能なメモリを具備するか、またはメモリに接続されていてもよいし、メモリに接続可能であってもよいと考えられる。
【００６０】
いくつかの実施形態において、メモリ２４は、共通ＤＭＲＳを共有する２つの連続したｓＴＴＩにおいて、２つのデータチャネル用に無線装置１６が設定する出力電力を制御するのに役立つ電力制御コマンド３０を格納するように構成されている。また、メモリ２４は、無線装置１６が２つのデータチャネルの帯域幅を共通帯域幅値に設定できるように役立つ帯域幅指定３２を格納するように構成されている。プロセッサ２６は、共通ＤＭＲＳを共有する２つの連続したｓＴＴＩにおいて、２つのデータチャネルの送信用に無線装置１６が使用する共通帯域幅を決定するように構成された帯域幅指定ユニット１８Ａを実現するように構成されている。また、プロセッサ２６は、共通ＤＭＲＳを共有する２つの連続したｓＴＴＩにおいて、２つのデータチャネル用に無線装置１６が設定する出力電力を制御する共通電力制御コマンドを決定するように構成された電力制御ユニット１８Ｂを実現する。また、プロセッサ２６は、共通帯域幅方式および共通電力方式の少なくとも一方を選択するように構成された選択ユニット３４を具備する。送受信機２８は、共通帯域幅の指定３２を無線装置１６に送信して、無線装置１６が２つのデータチャネルの帯域幅を共通帯域幅値に設定できるよう構成されるとともに、共通電力制御コマンド３０を無線装置１６に送信して、無線装置１６が２つのデータチャネルの出力電力を共通電力値に設定できるようにさらに構成されている。本明細書においては用語「送受信機」を使用しているものの、実施態様は、統合送信機・受信機を含む装置に限定されないことが了解される。別個の物理的送信機および受信機を使用可能であると考えられる。このため、用語「送受信機」は、便宜上使用している。
【００６１】
図７は、電力制御コマンド３０および帯域幅指定３２を格納するように構成されたメモリモジュール２５を具備するネットワークノード１４の別の実施形態のブロック図である。ソフトウェアモジュールがプロセッサにより実行され、本明細書に記載のネットワークノード１４の機能を実行するようになっていてもよい。たとえば、帯域幅指定モジュール１９Ａは、共通ＤＭＲＳを共有する２つの連続したｓＴＴＩにおいて、２つのデータチャネルの送信用に無線装置１６が使用する共通帯域幅を決定するように構成されたソフトウェアを有する。電力制御モジュール１９Ｂは、共通ＤＭＲＳを共有する２つの連続したｓＴＴＩにおいて、２つのデータチャネル用に無線装置１６が設定する出力電力を制御する共通電力制御コマンドを決定するように構成されたソフトウェアを有する。選択モジュール３５は、共通帯域幅方式および共通電力方式の少なくとも一方を選択するように構成されたソフトウェアを有する。送受信機モジュールは、一部がソフトウェアにて実装され、電力制御コマンド３０および帯域幅指定３２を無線装置１６に送信する機能を実行するようになっていてもよい。
【００６２】
図８は、アップリンク電力を調整する無線装置１６のブロック図である。無線装置１６は、処理回路４２を具備する。いくつかの実施形態において、処理回路は、メモリ４４およびプロセッサ４６を具備していてもよく、メモリ４４は、プロセッサ４６により実行された場合に、本明細書に記載の１つまたは複数の機能を実行するようにプロセッサ４６を設定する命令を含む。従来のプロセッサおよびメモリのほか、処理回路４２は、たとえば１つまたは複数のプロセッサ、プロセッサコア、ＦＰＧＡ（フィールドプログラマブルゲートアレイ）、および／またはＡＳＩＣ（特定用途向け集積回路）等、処理および／または制御用の集積回路を含んでいてもよい。
【００６３】
処理回路４２は、たとえばキャッシュ、バッファメモリ、ＲＡＭ（ランダムアクセスメモリ）、ＲＯＭ（リードオンリーメモリ）、光メモリ、および／またはＥＰＲＯＭ（消去・プログラム可能リードオンリーメモリ）等、任意の種類の揮発性および／または不揮発性メモリを含み得るメモリ４４の具備、メモリ４４への接続、および／またはメモリ４４にアクセスする（たとえば、書き込みおよび／または読み出し）構成が可能である。このようなメモリ４４は、制御回路により実行可能なコードおよび／または他のデータ（たとえば、通信に関するデータ（たとえば、ノードの設定および／またはアドレスデータ等））を格納するように構成されていてもよい。処理回路４２は、本明細書に記載の方法のいずれかの制御および／または（たとえば、プロセッサ４６による）このような方法の実行を行うように構成されていてもよい。読み出し可能および／または処理回路４２に対して読み出し可能に接続されたメモリ４４に対応する命令が格納されていてもよい。言い換えると、処理回路４２は、マイクロプロセッサ、マイクロコントローラ、ＦＰＧＡ（フィールドプログラマブルゲートアレイ）装置、および／またはＡＳＩＣ（特定用途向け集積回路）装置を含み得るコントローラを具備していてもよい。処理回路４２は、コントローラおよび／または処理回路４２による読み出しおよび／または書き込み用にアクセスし得るように構成可能なメモリを具備するか、またはメモリに接続されていてもよいし、メモリに接続可能であってもよいと考えられる。
【００６４】
メモリ４４は、ネットワークノード１４から受信された電力制御コマンド５０および帯域幅指定５２を格納するように構成されている。プロセッサ４６は、電力制御ユニット５４および帯域幅制御ユニット５６を実現する。電力制御ユニット５４は、共通ＤＭＲＳを共有する２つの連続したｓＴＴＩにおいて、２つのデータチャネル用に無線装置１６が設定する出力電力を共通電力制御コマンドに基づいて制御するように構成されている。帯域幅制御ユニット５６は、共通復調参照信号（ＤＭＲＳ）を共有する２つの連続したｓＴＴＩにおいて、２つのデータチャネルの送信用に当該無線装置１６が使用する共通帯域幅を帯域幅指定に基づいて決定するように構成されている。送受信機４８は、帯域幅指定受信機２０Ａおよび電力制御受信機２０Ｂを実現する。
【００６５】
図９は、電力制御コマンド５０および帯域幅指定５２を格納するように構成されたメモリモジュール４５を具備する無線装置１６の別の実施形態のブロック図である。ソフトウェアモジュールがプロセッサにより実行され、本明細書に記載の無線装置１６の機能を実行するようになっていてもよい。たとえば、電力制御モジュール５５は、共通ＤＭＲＳを共有する２つの連続したｓＴＴＩにおいて、２つのデータチャネル用に無線装置１６が設定する出力電力を共通電力制御コマンドに基づいて制御するように構成されたソフトウェアを有する。帯域幅制御モジュール５７は、共通ＤＭＲＳを共有する２つの連続したｓＴＴＩにおいて、２つのデータチャネルの送信用に当該無線装置１６が使用する共通帯域幅を帯域幅指定に基づいて決定するように構成されたソフトウェアを有する。
【００６６】
図１０は、無線装置１６の送信のリソース割り当てを行うネットワークノード１４における例示的なプロセスのフローチャートである。このプロセスは、選択ユニット３４により、共通帯域幅方式および共通電力方式の少なくとも一方を選択することを含む（ブロックＳ１００）。共通帯域幅方式が選択された場合（ブロックＳ１０２）、このプロセスは、帯域幅指定ユニット１８Ａにより、共通ＤＭＲＳを共有する２つの連続したｓＴＴＩにおいて、２つのデータチャネルの送信用に無線装置１６が使用する共通帯域幅を決定することを含む（ブロックＳ１０４）。そして、このプロセスは、送受信機２８により、共通帯域幅の指定を無線装置１６に送信して、無線装置１６が２つのデータチャネルの帯域幅を共通帯域幅値に設定できるようにすることを含む（ブロックＳ１０６）。共通電力方式が選択された場合（ブロックＳ１０８）、このプロセスは、電力制御ユニット１８Ｂにより、共通ＤＭＲＳを共有する２つの連続したｓＴＴＩにおいて、２つのデータチャネル用に無線装置１６が設定する出力電力を制御する共通電力制御コマンドを決定することを含む（ブロックＳ１１０）。そして、このプロセスは、送受信機２８により、共通電力制御コマンドを無線装置１６に送信して、無線装置１６が２つのデータチャネルの出力電力を共通電力値に設定できるようにすることを含む（ブロックＳ１１２）。
【００６７】
図１１は、アップリンク送信のリソース割り当てを行う無線装置１６における例示的なプロセスのフローチャートである。このプロセスは、帯域幅指定および共通電力制御コマンドの少なくとも一方を受信することを含む（ブロックＳ１１４））。帯域幅指定が受信された場合（ブロックＳ１１６）、このプロセスは、帯域幅制御ユニット５６により、共通ＤＭＲＳを共有する２つの連続したｓＴＴＩにおいて、２つのデータチャネルの送信用に無線装置１６が使用する共通帯域幅を帯域幅指定に基づいて決定することを含む（ブロックＳ１１８）。電力制御コマンドが受信された場合（Ｓ１２０）、このプロセスは、電力制御ユニット５４により、共通ＤＭＲＳを共有する２つの連続したｓＴＴＩにおいて、２つのデータチャネル用に無線装置１６が設定する出力電力を共通電力制御コマンドに基づいて制御することを含む（ブロックＳ１２２）。
【００６８】
図１２は、信号のアップリンク送信のアップリンク電力を調整する無線装置１６における例示的なプロセスのフローチャートである。共通ＲＳを共有する２つの連続したＴＴＩにおいて、無線装置１６が２つのチャネルを送信するものと決定する（ブロックＳ１２４）。一実施形態において、この決定は、無線装置の処理回路４２により行われる。共通ＲＳを共有する２つの連続したＴＴＩにおいて、２つのチャネルを同じ出力電力で送信する（ブロックＳ１２６）。一実施形態において、この送信は、送受信機４８により行われる。
【００６９】
いくつかの実施形態によれば、少なくとも以下の利点がもたらされる。
ＲＦ実装に対する影響が回避され、低レイテンシ機能をサポートするように既存のチップセットプラットフォームをアップグレード可能である。
新製品の開発において一般的に課題となるＲＦ領域における研究・開発の労力が最小限に抑えられる。
【００７０】
第１の実施形態において、同じＤＭＲＳを共有するＵＬデータチャネルのスケジューリングおよびリソース割り当ては、同じ割り当て帯域幅の使用に制限される。この方法は、無線装置１６をスケジューリングするネットワークノード１４において実装可能である。たとえば、ネットワークノード１４は、同じＤＭＲＳを共有する第１のｓＴＴＩ（ｓＴＴＩ１）および第２のｓＴＴＩ（ｓＴＴＩ２）に対して、同じＢＷを割り当てるようにしてもよい。一例において、ｓＴＴＩ１およびｓＴＴＩ２は、同じ無線装置１６または異なる無線装置１６に割り当て可能である。たとえば、ｓＴＴＩ１およびｓＴＴＩ２においては、帯域幅ＢＷの同じ部分（たとえば、ＲＢ）が使用される。
【００７１】
ネットワークノード１４は、同じＢＷを共有する連続したｓＴＴＩにおいて類似サイズのデータチャネルが送信されることにより、連続したｓＴＴＩにおける割り当てＢＷの効率的な使用が保証されるように、そのスケジューリングを適応させるようにしてもよい。
【００７２】
無線装置１６の電力レベルは、ＰＵＳＣＨの送信時にＴＴＩ間で変化する可能性がある。この場合、（図３と同様のマッピングを使用する場合に）両ｓＴＴＩに共通するＤＭＲＳの電力レベルは、２つのｓＴＴＩの一方の電力レベルでの送信される可能性がある。それでも、ＤＭＲＳによるチャネル推定が両ｓＴＴＩのデータシンボルに当てはまる。このため、復調性能が低下することのないように、位相コヒーレンスが保証されるのが好ましい。
【００７３】
振幅変動に対して位相を維持する電力増幅器の能力は、そのＡＭ−ＰＭプロファイルによって特徴付けられる。出力電力レベルを大幅に変更する際に大きな変動が予想される場合、位相参照はもはや、異なる電力レベルで送信されるシンボル全体でコヒーレントではないと考えることも可能である。
【００７４】
第２の実施形態において、無線装置１６をサーブするネットワークノード１４は、同じ電力制御コマンド（共通電力制御コマンドとしても知られる）を無線装置１６に送信して、同じＤＭＲＳを共有する２つ以上のｓＴＴＩにおいて２つ以上のＵＬ信号を送信するのに用いられる無線装置１６の送信電力を調整するようにしてもよい。たとえば、電力制御コマンドは、同じＤＭＲＳを共有するｓＴＴＩ群中の参照ｓＴＴＩにおいて送信されるようになっていてもよい。参照ｓＴＴＩの例は、ｓＴＴＩ群中のｓＴＴＩのいずれか、群中の最初のｓＴＴＩ、最後のｓＴＴＩ等である。
【００７５】
ネットワークノード１４は、以下のうちの１つまたは複数に基づいて、共通電力制御コマンドを決定するようにしてもよい。
同じＤＭＲＳを共有するｓＴＴＩ群中の１つまたは複数のｓＴＴＩにおけるＵＬ受信信号レベル（たとえば、信号対雑音比（ＳＮＲ）、信号対干渉・雑音比（ＳＩＮＲ）、ブロック誤り率（ＢＬＥＲ））（たとえば、ネットワークノード１４は、２つ以上のｓＴＴＩにおいて最も低いＵＬ信号品質に対応する電力制御コマンドを決定するようにしてもよい）
電力制御コマンドとネットワークノード１４におけるＵＬ受信信号の位相変化との間のマッピングに基づいて決定された電力制御コマンドの値
各ｓＴＴＩの電力制御コマンドの決定および当該決定した電力制御コマンドの関数の使用による有効または最終電力制御コマンドの選択（このような関数の例は、最大、最小、平均等である）
【００７６】
ネットワークノード１４は、所定のルール、当該ネットワークノード１４による自律決定、統計、または履歴データ等に基づいて、この方法を適用するようにしてもよい。
【００７７】
第３の実施形態において、無線装置１６は、同じＤＭＲＳを共有する２つ以上のデータチャネル上で同じ出力電力にて送信を行う。たとえば、同じＤＭＲＳを共有する２つの連続したｓＴＴＩにおいて信号を送信する同じ無線装置１６が同じ出力電力で送信を行うようにしてもよい。
【００７８】
一例において、同じＤＭＲＳを共有するすべてのｓＴＴＩにおける無線装置１６の出力電力レベルは、参照ｓＴＴＩと関連付けられた電力制御コマンドによって決まる。電力制御コマンドは、ネットワークノード１４によって無線装置１６に送信される。一例において、参照電力制御コマンドは、同じＤＭＲＳを共有する２つ以上のｓＴＴＩ群のうちの最初のｓＴＴＩと関連付けられている。別の例において、参照電力制御コマンドは、同じＤＭＲＳを共有する２つ以上のｓＴＴＩ群のうちの最後のｓＴＴＩと関連付けられている。さらに別の例において、参照電力制御コマンドは、同じＤＭＲＳを共有する２つ以上のｓＴＴＩと関連付けられた電力制御コマンドの関数に基づいて決定される。関数の例は、最大、最小、平均等である。たとえば、無線装置１６は、同じＤＭＲＳを共有するすべてのｓＴＴＩのすべての電力制御コマンドを受信し、受信したコマンドのうちから最大の電力制御コマンドを選択し、選択された電力制御コマンドの適用により、同じＤＭＲＳを共有するすべてのｓＴＴＩにわたる電力の送信を調整するようにしてもよい。
【００７９】
無線装置１６は、所定の情報、ネットワークノード１４から受信された指定、履歴データまたは当該無線装置１６の自律決定に基づいて、上記ルールのいずれかを適用するようにしてもよい。
【００８０】
第４の実施形態において、ネットワークノード１４は、同じＤＭＲＳを共有するデータチャネル上で同じ無線装置１６をスケジューリングしないことにより、そのスケジューリングを適応させる。すなわち、連続したｓＴＴＩにおいては、信号のＵＬ送信に同じ無線装置１６がスケジューリングされない。代わりに、ネットワークノード１４は、非連続ｓＴＴＩにおいて同じ無線装置１６をスケジューリングするようにしてもよい。本明細書において、これは、ｓＴＴＩにおける直交スケジューリングとも称する。
【００８１】
一例において、ネットワークノード１４は、如何なる条件にも基準にも関わらず、上述の直交スケジューリングを適用するようにしてもよい。別の例において、ネットワークノード１４は、１つまたは複数の条件が満たされた場合に直交スケジューリングを適用するようにしてもよい。条件の例としては、以下が挙げられる。
ネットワークノード１４（すなわち、サービング基地局）で受信されたＵＬ信号の受信品質（たとえば、ＳＮＲ、ＳＩＮＲ、ＢＬＥＲ等）が閾値を下回る。
無線装置１６の送信によって、位相が大きく変化する（たとえば、ネットワークノード１４において信号の復調の問題が生じる）。
無線装置１６の出力電力が閾値を上回る。
無線装置１６の送信電力が期間Ｔ０にわたって閾値（たとえば、ＸｄＢｍ以上）よりも大きな速度で変化する。
【００８２】
ｓＴＴＩ間での異なる電力レベルの使用と同様に、帯域幅割り当てはｓＴＴＩごとに変化し得る。無線装置１６の実装に応じて、帯域幅の切り替えも同様に、たとえば発振器周波数の再調節によって、送信シンボルに対する位相応答に影響を及ぼし得る。この場合は、シンボル間での位相参照の不連続が予想されるため、復調性能が完全に破綻する。第５の実施形態において、同じＤＭＲＳ位置を共有するＵＬデータチャネルは、異なる帯域幅を有し得るものの、同じＤＭＲＳを共有するすべてのＵＬデータチャネルの帯域幅を包含するより大きな帯域幅においてＤＭＲＳが送信される。
【００８３】
たとえば、ネットワークノード１４は、ｓＴＴＩ１およびｓＴＴＩ２それぞれにおけるＵＬデータ送信用として、帯域幅ＢＷ１およびＢＷ２を無線装置１６に割り当てるようにしてもよい。ｓＴＴＩ１およびｓＴＴＩ２においては、ＢＷ１およびＢＷ２を含む共通帯域幅（ＢＷ３）においてＤＭＲＳが送信される。たとえば、無線装置１６には、１〜５の範囲のＲＢに対応するＢＷ１および７〜１２の範囲のＲＢに対応するＢＷ２がそれぞれ割り当てられる。この場合、ネットワークノード１４は、少なくともＲＢ１〜１２を含むＤＭＲＳに対してＢＷ３を割り当てるようにしてもよい。
【００８４】
本実施形態の別の態様において、ネットワークノード１４は、割り当てリソースブロック当たり同じ電力が保証されるように、ＵＬデータチャネルの帯域幅を決定するようにしてもよい。さらに、本実施形態の別の態様において、ネットワークノード１４は、割り当てリソースブロック当たり同じ電力が保証されるように、ＵＬデータチャネルの帯域幅を決定するとともに、ＵＬ送信電力を割り当てるようにしてもよい。
【００８５】
ネットワークノード１４は、所定のルールまたは当該ネットワークノード１４における自律決定に基づいて、このＳＲＳ  ＢＷを適応させるルールを適用するようにしてもよい。
【００８６】
第６の実施形態においては、ネットワークノード１４および／または無線装置１６によって、上記実施形態に記載の方法の如何なる組み合わせも適用可能である。一実施形態において、ネットワークノード１４は、如何なる条件にも関わらず、任意の２つ以上の方法の組み合わせを適用するようにしてもよい。本実施形態の別の態様においては、１つまたは複数の条件が満たされることを前提に、上記方法の組み合わせが用いられる。条件の例としては、以下が挙げられる。
無線装置１６が求めるデータレート：たとえば、無線装置１６がより高いデータレートを必要とする場合、ネットワークノード１４は、無線装置１６がより大きな電力で送信することになるため、無線装置１６の割り当て帯域幅を適応させる方法および電力制御コマンドを適応させる方法を参照して、上述の方法を適用するようにしてもよい。
セル中の無線装置１６の数：セル中の無線装置１６の数が多い場合、ネットワークノード１４は、無線装置１６の割り当て帯域幅を適応させる方法および無線装置１６の送信電力を適応させる方法を参照して、上述の方法を適用するようにしてもよい。
無線装置１６の出力電力：たとえば、無線装置１６の送信電力が特定の閾値を下回る場合、ネットワークノード１４は、電力制御コマンドを適応させる方法およびＤＭＲＳ帯域幅を適応させる方法を参照して、上述の方法を適用するようにしてもよい。
無線装置の能力：すなわち、無線装置１６が２つ以上の方法をサポート可能な場合。
【００８７】
いくつかの実施形態では、仕様中のリソースハンドリングを制限することにより、超低ネットワークレイテンシを可能にすると同時に、短送信間隔による不要なオーバヘッドを最小限に抑えることによって、チップセットプラットフォームにおける如何なる潜在的なＲＦ実装の影響も回避する。
【００８８】
したがって、一態様によれば、無線装置１６の送信のリソース割り当てのためのネットワークノード１４における方法が提供される。この方法は、共通帯域幅方式および共通電力方式の少なくとも一方を選択することを含む。選択された少なくとも１つの方式が、共通帯域幅方式を含む場合、この方法は、共通復調参照信号（ＤＭＲＳ）を共有する２つの連続した短送信時間間隔（ｓＴＴＩ）において、２つのデータチャネルの送信用に無線装置１６が使用する共通帯域幅を決定することと、共通帯域幅の指定を無線装置１６に送信して、無線装置１６が２つのデータチャネルの帯域幅を共通帯域幅値に設定できるようにすることと、を含む。選択された少なくとも１つの方式が、共通電力方式を含む場合、この方法は、共通ＤＭＲＳを共有する２つの連続したｓＴＴＩにおいて、２つのデータチャネル用に無線装置１６が設定する出力電力を制御する共通電力制御コマンドを決定することと、共通電力制御コマンドを無線装置１６に送信して、無線装置１６が２つのデータチャネルの出力電力を共通電力値に設定できるようにすることと、を含む。
【００８９】
上記態様によれば、いくつかの実施形態において、２つの連続したｓＴＴＩにおいて送信されるデータチャネルは、物理アップリンク共有チャネル（ＰＵＳＣＨ）である。いくつかの実施形態において、共通帯域幅は、最大帯域幅を有する２つのデータチャネルの一方の帯域幅よりも大きい。いくつかの実施形態において、共通帯域幅は、２つの連続したｓＴＴＩの組み合わせ帯域幅を包含する。いくつかの実施形態において、共通帯域幅は、割り当てリソースブロック当たり同じ電力を保証するように選択される。いくつかの実施形態において、共通帯域幅の指定は、２つの連続したｓＴＴＩの帯域幅を包含するＤＭＲＳの帯域幅を含む。いくつかの実施形態において、共通電力制御コマンドは、無線装置１６に、２つのデータチャネルの出力電力を複数の電力レベルのうちの最大電力に設定するように指示する。いくつかの実施形態において、共通電力制御コマンドは、受信アップリンク信号の信号レベルおよび当該共通電力制御コマンドと受信アップリンク信号の位相変化との間のマッピングの少なくとも一方に基づく。いくつかの実施形態において、共通電力制御コマンドは、無線装置１６において利用可能な電力レベルの関数であり、最大、最小、および平均のうちの１つである、関数に基づく。いくつかの実施形態において、共通電力制御コマンドは、所定のルール、統計、および履歴データのうちの１つに基づいて、ネットワークノード１４により自律的に決定される。いくつかの実施形態において、共通電力値は、２つの連続したｓＴＴＩから選択される一方の無線装置選択電力である。いくつかの実施形態において、共通電力制御コマンドは、最大電力を規定し、無線装置１６に、共通電力値の規定時に最大電力を超えないように指示する。いくつかの実施形態において、ネットワークノード１４は、無線装置１６に対して、非連続データチャネルをスケジューリングする。
【００９０】
別の態様によれば、無線装置１６の送信のリソース割り当てのためのネットワークノード１４が提供される。このネットワークノード１４は、共通帯域幅方式および共通電力方式の少なくとも一方を選択するように構成された処理回路２２を備える。選択された少なくとも１つの方式が、共通帯域幅方式を含む場合、処理回路２２は、共通ＤＭＲＳを共有する２つの連続したｓＴＴＩにおいて、２つのデータチャネルの送信用に無線装置１６が使用する共通帯域幅を決定することと、共通帯域幅の指定を無線装置１６に送信して、無線装置１６が２つのデータチャネルの帯域幅を共通帯域幅値に設定できるようにすることと、を行うように構成されている。選択された少なくとも１つの方式が、共通電力方式を含む場合、処理回路２２は、共通ＤＭＲＳを共有する２つの連続したｓＴＴＩにおいて、２つのデータチャネル用に無線装置１６が設定する出力電力を制御する共通電力制御コマンドを決定することと、共通電力制御コマンドを無線装置１６に送信して、無線装置１６が２つのデータチャネルの出力電力を共通電力値に設定できるようにすることと、を行うように構成されている。
【００９１】
上記態様によれば、いくつかの実施形態において、２つの連続したｓＴＴＩにおいて送信される２つのデータチャネルは、ＰＵＳＣＨである。いくつかの実施形態において、共通帯域幅は、最大帯域幅を有する２つのデータチャネルの一方の帯域幅よりも大きい。いくつかの実施形態において、共通帯域幅は、２つの連続したｓＴＴＩの組み合わせ帯域幅を包含する。いくつかの実施形態において、共通帯域幅は、割り当てリソースブロック当たり同じ電力を保証するように選択される。いくつかの実施形態において、共通帯域幅の指定は、２つの連続したｓＴＴＩの帯域幅を包含するＤＭＲＳの帯域幅を含む。いくつかの実施形態において、共通電力制御コマンドは、無線装置１６に、２つのデータチャネルの出力電力を複数の電力レベルのうちの最大電力に設定するように指示する。いくつかの実施形態において、共通電力制御コマンドは、受信アップリンク信号の信号レベルおよび当該共通電力制御コマンドと受信アップリンク信号の位相変化との間のマッピングの少なくとも一方に基づく。いくつかの実施形態において、共通電力制御コマンドは、無線装置１６において利用可能な電力レベルの関数であり、最大、最小、および平均のうちの１つである、関数に基づく。いくつかの実施形態において、共通電力制御コマンドは、所定のルール、統計、および履歴データのうちの１つに基づいて、ネットワークノード１４により自律的に決定される。いくつかの実施形態において、共通電力値は、２つの連続したｓＴＴＩから選択される一方の無線装置選択電力である。いくつかの実施形態において、共通電力制御コマンドは、最大電力を規定し、共通電力値の規定時に最大電力を超えないように無線装置１６に指示する。いくつかの実施形態において、ネットワークノード１４は、無線装置１６に対して、非連続データチャネルをスケジューリングする。
【００９２】
さらに別の態様によれば、無線装置１６の送信のリソース割り当てのためのネットワークノード１４が提供される。このネットワークノード１４は、共通帯域幅方式および共通電力方式の少なくとも一方を選択するように構成された選択モジュール３５を備える。このネットワークノード１４は、共通ＤＭＲＳを共有する２つの連続したｓＴＴＩにおいて、２つのデータチャネルの送信用に無線装置１６が使用する共通帯域幅を決定するように構成された帯域幅指定モジュール１９Ａを備える。このネットワークノード１４は、共通帯域幅の指定を無線装置１６に送信して、無線装置１６が２つのデータチャネルの帯域幅を共通帯域幅値に設定できるように構成された送受信機モジュール２９をさらに備える。このネットワークノード１４は、共通ＤＭＲＳを共有する２つの連続したｓＴＴＩにおいて、２つのデータチャネル用に無線装置１６が設定する出力電力を制御する共通電力制御コマンドを決定するように構成された電力制御モジュール１９Ｂを備える。送受信機モジュール２９は、共通電力制御コマンドを無線装置１６に送信して、無線装置１６が２つのデータチャネルの出力電力を共通電力値に設定できるようにさらに構成されている。
【００９３】
さらに別の態様によれば、アップリンク送信のリソース割り当てための無線装置１６における方法が提供される。この方法は、帯域幅指定および共通電力制御コマンドの少なくとも一方を受信することを含む。帯域幅指定が受信された場合、この方法は、共通ＤＭＲＳを共有する２つの連続したｓＴＴＩにおいて、２つのデータチャネルの送信用に無線装置１６が使用する共通帯域幅を帯域幅指定に基づいて決定することを含む。共通電力制御コマンドが受信された場合、この方法は、共通ＤＭＲＳを共有する２つの連続したｓＴＴＩにおいて、２つのデータチャネル用に無線装置１６が設定する出力電力を共通電力制御コマンドに基づいて制御することを含む。
【００９４】
上記態様によれば、いくつかの実施形態において、２つのデータチャネルは、ＰＵＳＣＨである。いくつかの実施形態において、共通帯域幅は、最大帯域幅を有する２つのデータチャネルの一方の帯域幅よりも大きい。いくつかの実施形態において、共通帯域幅は、２つの連続したｓＴＴＩの組み合わせ帯域幅を包含する。いくつかの実施形態において、共通帯域幅は、割り当てリソースブロック当たり同じ電力を保証するように選択される。いくつかの実施形態において、帯域幅指定は、２つの連続したｓＴＴＩの帯域幅を包含するＤＭＲＳの帯域幅を示す。いくつかの実施形態において、共通電力制御コマンドは、無線装置１６に、２つのデータチャネルの出力電力を複数の電力レベルのうちの最大電力に設定するように指示する。いくつかの実施形態において、共通電力制御コマンドは、最大電力を規定し、共通電力値の規定時に最大電力を超えないように無線装置１６に指示する。
【００９５】
別の態様によれば、アップリンク送信のリソース割り当てための無線装置１６が提供される。この無線装置１６は、帯域幅指定および共通電力制御コマンドの少なくとも一方を受信するように構成された送受信機を備える。この無線装置１６は、共通ＤＭＲＳを共有する２つの連続したｓＴＴＩにおいて、２つのデータチャネルの送信用に当該無線装置１６が使用する共通帯域幅を帯域幅指定に基づいて決定するように構成された処理回路４２をさらに備える。処理回路４２は、共通ＤＭＲＳを共有する２つの連続したｓＴＴＩにおいて、少なくとも２つのデータチャネル用に無線装置１６が設定する出力電力を共通電力制御コマンドに基づいて制御するようにさらに構成されている。
【００９６】
上記態様によれば、いくつかの実施形態において、２つのデータチャネルは、物理アップリンク共有チャネル（ＰＵＳＣＨ）である。いくつかの実施形態において、共通帯域幅は、最大帯域幅を有する２つのデータチャネルの一方の帯域幅よりも大きい。いくつかの実施形態において、共通帯域幅は、２つの連続したｓＴＴＩの組み合わせ帯域幅を包含する。いくつかの実施形態において、共通帯域幅は、割り当てリソースブロック当たり同じ電力を保証するように選択される。いくつかの実施形態において、帯域幅指定は、２つの連続したｓＴＴＩの帯域幅を包含するＤＭＲＳの帯域幅を示す。いくつかの実施形態において、共通電力制御コマンドは、無線装置１６に、２つのデータチャネルの出力電力を複数の電力レベルのうちの最大電力に設定するように指示する。いくつかの実施形態において、共通電力制御コマンドは、最大電力を規定し、共通電力値の規定時に最大電力を超えないように無線装置１６に指示する。
【００９７】
さらに別の態様によれば、アップリンク送信のリソース割り当てための無線装置１６が提供される。この無線装置１６は、帯域幅指定および共通電力制御コマンドの少なくとも一方を受信するように構成された送受信機モジュール４９を備える。また、この無線装置は、共通ＤＭＲＳを共有する２つの連続したｓＴＴＩにおいて、２つのデータチャネルの送信用に当該無線装置１６が使用する共通帯域幅を帯域幅指定に基づいて決定するように構成された帯域幅制御モジュール５７を備える。また、この無線装置１６は、共通ＤＭＲＳを共有する２つの連続したｓＴＴＩにおいて、２つのデータチャネル用に当該無線装置１６が設定する出力電力を共通電力制御コマンドに基づいて制御するように構成された電力制御モジュール５５を備える。
【００９８】
別の態様によれば、信号のアップリンク送信のための無線装置１６における方法が提供される。この方法は、共通参照信号（ＲＳ）を共有する２つの連続した送信時間間隔（ＴＴＩ）において、無線装置１６が２つのチャネルを送信するものと決定すること（Ｓ１２４）を含む。また、この方法は、共通ＲＳを共有する２つの連続した送信時間間隔（ＴＴＩ）において、２つのチャネルを同じ出力電力で送信すること（Ｓ１２６）を含む。
【００９９】
上記態様によれば、いくつかの実施形態において、ＴＴＩは、短ＴＴＩ（ｓＴＴＩ）、スロット、およびミニスロットのいずれかである。いくつかの実施形態において、ＲＳは、復調参照信号（ＤＭＲＳ）およびサウンディング参照信号（ＳＲＳ）のいずれかである。
【０１００】
さらに別の態様によれば、信号のアップリンク送信のための無線装置１６が提供される。この無線装置は、共通参照信号（ＲＳ）を共有する２つの連続した送信時間間隔（ＴＴＩ）において、当該無線装置１６が２つのチャネルを送信するものと決定するように構成された処理回路４２と、共通ＲＳを共有する２つの連続した送信時間間隔（ＴＴＩ）において、２つのチャネルを同じ出力電力で送信するように構成された送受信機４８と、を備える。
【０１０１】
上記態様によれば、いくつかの実施形態において、ＴＴＩは、短ＴＴＩ（ｓＴＴＩ）、スロット、およびミニスロットのいずれかである。いくつかの実施形態において、ＲＳは、復調参照信号（ＤＭＲＳ）およびサウンディング参照信号（ＳＲＳ）のいずれかである。
【０１０２】
いくつかの実施形態として、以下が挙げられる。
実施形態１：無線装置に対するスケジューリングおよびリソース割り当てを行うネットワークノードにおける方法であって、
第１の短送信時間間隔（ｓＴＴＩ）に第１の帯域幅を割り当てることと、
第１のｓＴＴＩと同じ復調参照シンボル（ＤＭＲＳ）を共有する第２のｓＴＴＩに第１の帯域幅を割り当てることと、
を含む、方法。
実施形態２：第１のｓＴＴＩおよび第２のｓＴＴＩが同じ無線装置に割り当てられた、実施形態１に記載の方法。
実施形態３：無線装置に対するスケジューリングおよびリソース割り当てを行うネットワークノードにおける方法であって、
同じ復調参照シンボル（ＤＭＲＳ）を共有する少なくとも２つの短送信時間間隔（ｓＴＴＩ）において、アップリンク信号を送信する無線装置の送信電力の調整に用いられる共通電力制御コマンドを決定することと、
共通電力制御コマンドを無線装置に送信することと、
を含む、方法。
実施形態４：共通電力制御コマンドが、同じＤＭＲＳを共有するｓＴＴＩ群中の参照ｓＴＴＩにおいて送信される、実施形態３に記載の方法。
実施形態５：共通電力制御コマンドが、アップリンク信号品質およびアップリンク信号位相変化の少なくとも一方に基づく、実施形態３に記載の方法。
実施形態６：アップリンク電力を調整する無線装置における方法であって、
復調参照シンボル（ＤＭＲＳ）を生成することと、
ＤＭＲＳを共有する少なくとも２つのデータチャネルにおいて、同じ出力電力を送信することと、
を含む、方法。
実施形態７：無線装置が、同じＤＭＲＳを共有する２つの連続した短送信時間間隔（ｓＴＴＩ）において信号を送信し、送信信号が同じ出力電力で送信される、実施形態６に記載の方法。
実施形態８：無線装置が、同じＤＭＲＳを共有するすべてのｓＴＴＩにおいて受信された電力制御コマンドのうちの最大を選択することにより、アップリンク電力を制御する、実施形態６に記載の方法。
実施形態９：無線装置に対するスケジューリングおよびリソース割り当てを行うネットワークノードにおける方法であって、
非連続短送信時間間隔（ｓＴＴＩ）を決定することと、
非連続ｓＴＴＩにおいて送信するように無線装置をスケジューリングすることと、
を含む、方法。
実施形態１０：スケジューリングが、ネットワークノードで受信されるアップリンク信号の受信品質、ネットワークノードにおける復調の成功、および閾値を超える速度での電力変化の無線装置による送信のうちの少なくとも１つに際して調節される、実施形態９に記載の方法。
実施形態１１：無線装置に対するスケジューリングおよびリソース割り当てを行うネットワークノードにおける方法であって、
同じ復調参照シンボル（ＤＭＲＳ）位置を共有するアップリンクチャネルに異なる帯域幅を割り当てることと、
ＤＭＲＳを共有するアップリンクチャネルの帯域幅を包含する帯域幅をＤＭＲＳに割り当てることと、
を含む、方法。
実施形態１２：無線装置に対するスケジューリングおよびリソース割り当てを行うネットワークノードであって、
メモリおよびプロセッサを含む処理回路であり、
メモリが、短送信時間間隔（ｓＴＴＩ）に対する帯域幅割り当てを格納し、
プロセッサが、同じ復調参照シンボル（ＤＭＲＳ）を共有するｓＴＴＩに帯域幅を割り当てる、
ように構成された、処理回路を備えた、ネットワークノード。
実施形態１３：無線装置に対するスケジューリングおよびリソース割り当てを行うネットワークノードであって、
短送信時間間隔（ｓＴＴＩ）に対する帯域幅割り当てを格納するように構成されたメモリモジュールと、
同じ復調参照シンボル（ＤＭＲＳ）を共有するｓＴＴＩに帯域幅を割り当てるように構成された帯域幅割り当てモジュールと、
を備えた、ネットワークノード。
実施形態１４：無線装置に対するスケジューリングおよびリソース割り当てを行うネットワークノードであって、
メモリおよびプロセッサを含む処理回路であり、
メモリが、共通電力制御コマンドを格納し、
プロセッサが、同じ復調参照シンボル（ＤＭＲＳ）を共有する少なくとも２つの短送信時間間隔（ｓＴＴＩ）において、アップリンク信号を送信する無線装置の送信電力の調整に用いられる電力制御コマンドを生成する、
ように構成された、処理回路と、
共通電力制御コマンドを無線装置に送信するように構成された送受信機と、
を備えた、ネットワークノード。
実施形態１５：アップリンク電力を調整する無線装置であって、
メモリおよびプロセッサを含む処理回路であり、
メモリが、電力制御コマンドおよび復調参照シンボル（ＤＭＲＳ）を格納し、
プロセッサが、ＤＭＲＳを共有する少なくとも２つのチャネルにおいて、電力制御コマンドにより決定される同じ出力電力を送信させる、
ように構成された、処理回路と、
ＤＭＲＳを共有する少なくとも２つのチャネルにおいて、同じ出力電力を送信するように構成された送受信機と、
を備えた、無線装置。
実施形態１６：アップリンク電力を調整する無線装置であって、
電力制御コマンドおよび復調参照シンボル（ＤＭＲＳ）を格納するように構成されたメモリモジュールと、
ＤＭＲＳを共有する少なくとも２つのチャネルにおいて、電力制御コマンドにより決定される同じ出力電力を送信させるように構成された送信制御モジュールと、
ＤＭＲＳを共有する少なくとも２つのチャネルにおいて、同じ出力電力を送信するように構成された送受信機モジュールと、
を備えた、無線装置。
付録として、付加的な記述説明を含む。
略語の説明
ＢＬＥＲ  ブロック誤り率
ＣＦＩ  制御フォーマットインジケータ
ＣＲＳ  共通参照シンボル
ＤＬ  ダウンリンク
ＤＦＴ  離散フーリエ変換
ＤＭＲＳ  復調参照シンボル
ＦＤＤ  周波数分割複信
ＦＤＭＡ  周波数分割多重アクセス
ＦＳ  フレーム構造
ＨＡＲＱ  ハイブリッド自動再送要求
ＨＴＴＰ  ハイパーテキスト転送プロトコル
ＯＦＤＭ  直交周波数分割多重
ＰＵＣＣＨ  物理アップリンク制御チャネル
ＰＵＳＣＨ  物理アップリンク共有チャネル
ＲＦ  無線周波数
ＳＣ  シングルキャリア
ＳＦ  サブフレーム
ｓＰＵＣＣＨ  短ＰＵＣＣＨ
ｓＰＵＳＣＨ  短ＰＵＳＣＨ
ｓＴＴＩ  短ＴＴＩ
ＴＣＰ  送信制御プロトコル
ＴＤＤ  時分割複信
ＴＴＩ  送信時間間隔
無線装置  ユーザ機器
ＵＬ  アップリンク
【０１０３】
当業者には当然のことながら、本明細書に記載の概念は、方法、データ処理システム、および／またはコンピュータプログラム製品として具現化されるようになっていてもよい。したがって、本明細書に記載の概念は、完全にハードウェアの実施形態、完全にソフトウェアの実施形態、またはソフトウェアおよびハードウェアの態様を組み合わせた実施形態の形を取っていてもよく、本明細書においては、すべてを概して「回路」または「モジュール」と称する。さらに、本開示は、コンピュータにより実行可能な媒体に具現化されたコンピュータプログラムコードを有する有形のコンピュータ可用記憶媒体上のコンピュータプログラム製品の形を取っていてもよい。ハードディスク、ＣＤ−ＲＯＭ、電子記憶装置、光学記憶装置、または磁気記憶装置等の任意適当な有形のコンピュータ可読媒体が利用されるようになっていてもよい。
【０１０４】
本明細書においては、方法、システム、およびコンピュータプログラム製品のフローチャート図および／またはブロック図を参照して、いくつかの実施形態を説明した。フローチャート図および／もしくはブロック図の各ブロックならびにフローチャート図および／もしくはブロック図におけるブロックの組み合わせは、コンピュータプログラム命令によって実装可能であることが了解される。これらのコンピュータプログラム命令は、汎用コンピュータ（結果的に構成される専用コンピュータ）、専用コンピュータ、または他のプログラム可能なデータ処理装置のプロセッサに提供されてマシンを生成することにより、コンピュータまたは他のプログラム可能なデータ処理装置のプロセッサを介して実行する当該命令が、フローチャートおよび／またはブロック図の１つまたは複数のブロックに指定の機能／動作を実装する手段を構成するようになっていてもよい。
【０１０５】
また、これらのコンピュータプログラム命令は、コンピュータまたは他のプログラム可能なデータ処理装置が特定の様態で機能するように指示可能なコンピュータ可読メモリまたは記憶媒体に格納されることにより、コンピュータ可読メモリに格納された当該命令が、フローチャートおよび／またはブロック図の１つまたは複数のブロックに指定の機能／動作を実装する命令手段を含む製造品を生成するようになっていてもよい。
【０１０６】
また、これらのコンピュータプログラム命令は、コンピュータまたは他のプログラム可能なデータ処理装置にロードされ、一連の動作ステップがコンピュータまたは他のプログラム可能な装置上で実行されてコンピュータ実装プロセスを生成することにより、コンピュータまたは他のプログラム可能な装置上で実行する当該命令が、フローチャートおよび／またはブロック図の１つまたは複数のブロックに指定の機能／動作を実装するステップを提供するようになっていてもよい。
【０１０７】
各ブロックに記載の機能／動作は、動作図に記載の順序から外れて生じ得ることが了解されるものとする。たとえば、関与する機能／動作に応じて、連続して示す２つのブロックが実際のところ、実質的に同時に実行されるようになっていてもよいし、各ブロックが場合により逆の順序で実行されるようになっていてもよい。図面の一部には、通信の主方向を示す通信経路上の矢印を含むものの、図示の矢印と反対の方向に通信が行われるようになっていてもよいことが了解されるものとする。
【０１０８】
本明細書に記載の概念の動作を実行するコンピュータプログラムコードは、Ｊａｖａ（登録商標）またはＣ＋＋等のオブジェクト指向プログラミング言語で記述されていてもよい。ただし、本開示の動作を実行するコンピュータプログラムコードは、「Ｃ」プログラミング言語等の従来の手続き型プログラミング言語で記述されていてもよい。プログラムコードは、ユーザのコンピュータ上で全体が実行されるようになっていてもよいし、独立型ソフトウェアパッケージとしてユーザのコンピュータ上で一部が実行されるようになっていてもよいし、ユーザのコンピュータ上で一部が実行され、リモートコンピュータ上で一部または全体が実行されるようになっていてもよい。後者のシナリオにおいて、リモートコンピュータは、ローカルエリアネットワーク（ＬＡＮ）またはワイドエリアネットワーク（ＷＡＮ）を通じてユーザのコンピュータに接続されていてもよいし、（たとえば、インターネットサービスプロバイダによりインターネットを通じて）外部のコンピュータに接続されていてもよい。
【０１０９】
本明細書においては、上記説明および図面に関して、多くの異なる実施形態を開示した。これら実施形態のすべての組み合わせおよび副組み合わせを逐語的に記述するとともに図示するのは、過度な繰り返しで曖昧になることが了解される。したがって、すべての実施形態を任意の方法および／または組み合わせで結合可能であり、図面を含む本明細書は、本明細書に記載の実施形態のすべての組み合わせおよび副組み合わせならびにそれぞれの構成および使用の様態およびプロセスの完全な記述説明を構成するものと解釈されるとともに、このような任意の組み合わせまたは副組み合わせに対して特許請求の範囲をサポートするものとする。
【０１１０】
当業者には当然のことながら、本明細書に記載の実施形態は、上記の特定の図示および説明に限定されない。また、反対の記述がない限り、添付の図面はすべて、原寸に比例していないことに留意されたい。以下の特許請求の範囲から逸脱することなく、上記教示内容に照らして、多様な改良および変形が可能である。
【図１】
2020191673.tif 000006
【図２】
2020191673.tif 000007
【図３】
2020191673.tif 000008
【図４】
2020191673.tif 000009
【図５】
2020191673.tif 000010
【図６】
2020191673.tif 000011
【図７】
2020191673.tif 000012
【図８】
2020191673.tif 000013
【図９】
2020191673.tif 000014
【図１０】
2020191673.tif 000015
【図１１】
2020191673.tif 000016
【図１２】
2020191673.tif 000017
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
明細書に記載された発明。
【外国語明細書】
2020191673000001.pdf